(57)【要約】  本発明の課題は、画面全体での補正量を保ちながら、動画におけるフレーム間の補正のばらつきを抑制することにある。本発明の映像信号表示装置は、誘目点決定部（１０４）と、補正中心位置格納部（１０５）と、補正中心位置決定部（１０６）と、補正パラメータ生成部（１０７）と、補正部（１０８）とを備え、補正中心位置を誘目点に向けて徐々に移動させるような補正を行う。そのため、補正量を調整して補正のばらつきを抑制する手法に比べ、効果を保ちながら補正のばらつきを抑制することができる。
2009141980.tif 000002
【特許請求の範囲】
【請求項１】
複数の画像からなる動画像を表示する映像信号表示装置であって、
前記動画像を構成する１つの前記画像である現画像における誘目点を決定する誘目点決定部と、
前記現画像より過去の前記画像である過去画像の補正中心点の座標を保持する補正中心位置格納部と、
前記誘目点決定部により決定された前記誘目点と前記補正中心位置格納部に保持されている前記過去画像の前記補正中心点に基づいて、前記現画像における補正中心点を決定する補正中心位置決定部と、
前記現画像における補正中心点に基づいて補正パラメータを生成する補正パラメータ生成部と、
前記補正パラメータに基づいて前記現画像を補正する補正部と、
前記補正部により補正された画像を表示する表示部と、
を備え、
前記補正中心位置決定部は、前記過去画像の前記補正中心点と前記誘目点との間にあり、かつ、前記過去画像の補正中心点からの前記画像上の距離が制限値以下である前記画像上の点を、前記現画像における補正中心点とし、
前記補正中心位置格納部は、前記補正中心位置決定部により決定された前記現画像における補正中心点の座標を格納する、
映像信号表示装置。
【請求項２】
前記誘目点決定部は、前記現画像から所定の検出対象画像領域を検出し、検出した前記検出対象画像領域に基づいて誘目点を決定する、
請求項１に記載の映像信号表示装置。
【請求項３】
前記検出対象画像領域は、顔、あるいは顔の部分を含む画像領域である、
請求項２に記載の映像信号表示装置。
【請求項４】
前記検出対象画像領域は、文字を含む画像領域である、
請求項２に記載の映像信号表示装置。
【請求項５】
前記誘目点決定部は、前記検出対象画像領域が複数検出された場合、複数検出された前記検出対象画像領域に基づいて、前記誘目点を画像上の１点に決定する、
請求項２に記載の映像信号表示装置。
【請求項６】
前記誘目点決定部は、前記検出対象画像領域が複数検出された場合、複数検出された前記検出対象画像領域の大きさ、数、位置関係のうち、少なくとも一つに基づいて、前記誘目点を画像上の１点に決定する、
請求項５に記載の映像信号表示装置。
【請求項７】
前記誘目点決定部は、前記検出対象画像領域が検出されない場合、前記画像により構成される表示画面上の特定位置に相当する前記画像上の点を前記誘目点として決定する、
請求項１から６のいずれかに記載の映像信号表示装置。
【請求項８】
前記誘目点決定部は、前記画像により構成される表示画面の略中心に相当する前記画像上の点を前記誘目点の初期位置とする、
請求項７に記載の映像信号表示装置。
【請求項９】
前記補正中心位置決定部は、前記動画像が６０ｆｐｓ（ｆｒａｍｅ  ｐｅｒ  ｓｅｃｏｎｄ）の映像の場合、前記制限値を１ピクセル以上４ピクセル以下の固定値とする、
請求項１から８のいずれかに記載の映像信号表示装置。
【請求項１０】
前記現画像に基づいて、前記制限値を変化させる制限値決定部をさらに備える、
請求項１から８のいずれかに記載の映像信号表示装置。
【請求項１１】
前記制限値決定部は、シーンチェンジ情報に基づいて前記制限値を変化させる、
請求項１０に記載の映像信号表示装置。
【請求項１２】
前記制限値決定部は、前記過去画像における補正中心点と、前記現画像における前記誘目点との間の前記画像上の距離に従って、前記制限値を変化させる、
請求項１０に記載の映像信号表示装置。
【請求項１３】
前記制限値決定部は、前記画像により構成される表示画面上の前記誘目点の位置に従って、前記制限値を変化させる、
請求項１０に記載の映像信号表示装置。
【請求項１４】
前記制限値決定部は、前記画像により構成される表示画面において人の目が引きやすい程度を示す度合いである誘目度が大きい程、前記制限値を大きくする、
請求項１０に記載の映像信号表示装置。
【請求項１５】
前記誘目点決定部は、前記現画像から所定の検出対象画像領域を検出し、前記誘目度を、検出した前記検出対象画像領域の大きさ、数、前記画像上の位置、または、検出処理の確からしさのうち、少なくとも一つに基づいて算出し、
前記前記制限値決定部は、前記誘目点決定部が算出した前記誘目度に基づいて、前記制限値を変化させる、
請求項１４に記載の映像信号表示装置。
【請求項１６】
前記補正中心位置決定部は、前記補正パラメータ生成部において前記補正パラメータを生成するために用いられる補正強度によって、前記制限値を変化させる、
請求項１から８のいずれかに記載の映像信号表示装置。
【請求項１７】
複数の画像からなる動画像を表示する映像信号表示方法であって、
前記動画像を構成する１つの前記画像である現画像における誘目点を決定する誘目点決定ステップと、
前記現画像より過去の前記画像である過去画像の補正中心点の座標を取得する補正中心位置取得ステップと、
前記過去画像の前記補正中心点と前記誘目点との間にあり、かつ、前記過去画像の補正中心点からの前記画像上の距離が制限値以下である前記画像上の点を、前記現画像における補正中心点とすることで、前記現画像における補正中心点を決定する補正中心位置決定ステップと、
前記現画像における補正中心点に基づいて補正パラメータを生成する補正パラメータ生成ステップと、
前記補正パラメータに基づいて前記現画像を補正する補正ステップと、
前記補正ステップにより補正された画像を表示する表示ステップと、
を備える映像信号表示方法。
【請求項１８】
複数の画像からなる動画像を表示する映像信号表示させるコンピュータで実行可能なプログラムであって、
コンピュータに、
前記動画像を構成する１つの前記画像である現画像における誘目点を決定する誘目点決定ステップと、
前記現画像より過去の前記画像である過去画像の補正中心点の座標を取得する補正中心位置取得ステップと、
前記過去画像の前記補正中心点と前記誘目点との間にあり、かつ、前記過去画像の補正中心点からの前記画像上の距離が制限値以下である前記画像上の点を、前記現画像における補正中心点とすることで、前記現画像における補正中心点を決定する補正中心位置決定ステップと、
前記現画像における補正中心点に基づいて補正パラメータを生成する補正パラメータ生成ステップと、
前記補正パラメータに基づいて前記現画像を補正する補正ステップと、
前記補正ステップにより補正された画像を表示する表示ステップと、
を実行させるプログラム。
【請求項１９】
複数の画像からなる動画像を表示する映像信号表示装置に用いられる集積回路であって、
前記動画像を構成する１つの前記画像である現画像における誘目点を決定する誘目点決定部と、
前記現画像より過去の前記画像である過去画像の補正中心点の座標を保持する補正中心位置格納部と、
前記誘目点決定部により決定された前記誘目点と前記補正中心位置格納部に保持されている前記過去画像の前記補正中心点に基づいて、前記現画像における補正中心点を決定する補正中心位置決定部と、
前記現画像における補正中心点に基づいて補正パラメータを生成する補正パラメータ生成部と、
前記補正パラメータに基づいて前記現画像を補正する補正部と、
を備え、
前記補正中心位置決定部は、前記過去画像の前記補正中心点と前記誘目点との間にあり、かつ、前記過去画像の補正中心点からの前記画像上の距離が制限値以下である前記画像上の点を、前記現画像における補正中心点とし、
前記補正中心位置格納部は、前記補正中心位置決定部により決定された前記現画像における補正中心点の座標を格納する、
集積回路。
【発明の詳細な説明】
【技術分野】
【０００１】
本発明は、電子機器の消費電力を削減できるようにし、あるいは同じ消費電力における明るさ感を向上できるようにした映像信号表示装置およびその関連技術に関するものである。
【背景技術】
【０００２】
人は、映像信号（または画像信号）が表示されている表示装置の画面（表示画面）の中心部を注視する傾向が強いため、表示装置において、表示画面の画面中心部の明るさを維持しつつ、比較的注視しない表示画面の画面周辺部の明るさを低下させることで、表示画面の明るさ感を維持したまま、表示装置の消費電力を削減する手法が知られている。
その手法は、表示画面に対して、画面の略中心から周辺に向けて輝度が低下するように、入力映像信号を補正することで、省電力化を実現している。その手法の代表として特許文献１がある。
さらに、入力映像信号に応じて、輝度の低下程度を動的に制御し、さらなる省電力効果を得る手法として特許文献２および特許文献３がある。
また、省電力効果を狙ったものではないが、入力映像（画像）信号の状況に応じて、入力映像（画像）信号に対して適応的に補正を行う技術として、例えば、特許文献４に開示されている技術がある。特許文献４に開示されている技術は、入力映像（画像）信号により形成される画像データから人物の顔画像エリアを検出し、その検出結果に基づいて補正情報（補正強度等）を変えることにより、入力映像信号の内容（状況）に応じた補正処理を行うものである。【０００３】
前記特許文献４の技術は、おもに静止画に対する処理についてものであるが、動画に対しても適用することができる。ただし、動画に対して特許文献４の技術を適用すると新たな課題が発生する。つまり、動画に対して特許文献４の技術を適用すると、通常、検出処理は完全ではないので検出率が１００％とならないことがほとんどである。そのため、動画に対して特許文献４の技術を適用した場合、ある対象を検出しようとした場合、検出しようとしている対象を検出できるフレームと検出できないフレームとが発生する。このような状態で、検出結果に応じて補正処理を行うと、補正処理にばらつきが生じる。その結果、特許文献４の技術により処理した動画は不安定なものとなり、例えば、フリッカ等が発生している動画になる。
この課題に対しては、例えば、特許文献５には、過去フレームの補正情報も用いて現在の補正情報（現フレームに適用させる補正情報）を算出することで、動画の不安定感を抑制する装置が開示されている。即ち、特許文献５に開示されている技術では、検出処理結果に応じた情報から補正情報を算出するだけでなく、過去フレームの補正情報からの変化を小さくするような処理を行うことで、フレーム間の補正のばらつきを抑制している。
【先行技術文献】
【特許文献】
【０００４】
【特許文献１】特開２００２−５５６７５号公報
【特許文献２】特開２００２−１１６７２８号公報
【特許文献３】特開２００２−７２９５１号公報
【特許文献４】特許第３７３３１６５号公報
【特許文献５】特開２００６−２６２０００号公報
【発明の概要】
【発明が解決しようとする課題】
【０００５】
しかしながら、上記従来技術では、検出の如何に従って補正情報（補正強度等）が変化（例えば、補正強度が増減）するため、大きな補正効果（適正な補正効果）を定常的には得ることができない。
本発明は、上記従来技術の課題を解決するもので、補正情報（補正強度等）を適正に保ちながら、動画におけるフレーム間の補正処理のばらつきにより処理画像上に発生する副作用を抑制しつつ、常に適切な補正処理を行うことができる映像信号表示装置、映像信号表示方法、プログラムおよび集積回路を実現することを目的とする。
【課題を解決するための手段】
【０００６】
第１の発明は、複数の画像からなる動画像を表示する映像信号表示装置であって、誘目点決定部と、補正中心位置格納部と、補正中心位置決定部と、補正パラメータ生成部と、補正部と、表示部と、を備える。誘目点決定部は、動画像を構成する１つの画像である現画像における誘目点を決定する。補正中心位置格納部は、現画像より過去の画像である過去画像の補正中心点の座標を保持する。補正中心位置決定部は、誘目点決定部により決定された誘目点と補正中心位置格納部に保持されている過去画像の補正中心点に基づいて、現画像における補正中心点を決定する。
補正パラメータ生成部は、現画像における補正中心点に基づいて補正パラメータを生成する。補正部は、補正パラメータに基づいて現画像を補正する。表示部は、補正部により補正された画像を表示する。そして、補正中心位置決定部は、過去画像の補正中心点と誘目点との間にあり、かつ、過去画像の補正中心点からの画像上の距離が制限値以下である画像上の点を、現画像における補正中心点とする。補正中心位置格納部は、補正中心位置決定部により決定された現画像における補正中心点の座標を格納する。【０００７】
この映像信号表示装置では、誘目点と過去画像（例えば過去のフレーム画像）の補正中心との関係を考慮して現画像（例えば現フレーム画像）の補正中心を決定するため、画像間（例えば、フレーム間）の補正変動による急激な動画像の変動を抑制することができる。その結果、この映像信号表示装置では、フレーム間で急激に変動する動画像であっても適切な補正処理を行うことができ、常に適切な動画像を得ることができる。さらに、この映像信号表示装置では、人が注視しやすい画像領域については明るさ感を維持しつつ、それ以外の画像領域において明るさを低下させる（例えば、輝度を低下させる）ように制御することができるため、消費電力を低減させることができる。
なお、ここで、「現画像」とは、現在、映像信号表示装置において処理対象となっている画像のことで、例えば、現在のフレーム画像（現フレーム画像）がこれに相当する。また、「過去画像」とは、現画像より時間的に前の画像であり、例えば、現画像を現フレーム画像としたときの、１フレーム前のフレーム画像がこれに相当する。【０００８】
第２の発明は、第１の発明であって、誘目点決定部は、現画像から所定の検出対象画像領域を検出し、検出した検出対象画像領域に基づいて誘目点を決定する。
これにより、人が注視しやすい検出対象画像領域に基づいた誘目点を決定することができる。
第３の発明は、第２の発明であって、検出対象画像領域は、顔、あるいは顔の部分を含む画像領域である。
これにより、人が注視しやすい検出対象画像領域である顔、あるいは顔の部分を含む画像領域に基づいた誘目点を決定することができる。その結果、この映像信号表示装置により補正処理された画像は、より適切な画像となり、かつ、消費電力も効果的に低減される。【０００９】
第４の発明は、第２の発明であって、検出対象画像領域は、文字を含む画像領域である。
これにより、人が注視しやすい検出対象画像領域である文字（特に、人の目を引きやすいテロップ文字等）を含む画像領域に基づいた誘目点を決定することができる。その結果、この映像信号表示装置により補正処理された画像は、より適切な画像となり、かつ、消費電力も効果的に低減される。
第５の発明は、第２の発明であって、誘目点決定部は、検出対象画像領域が複数検出された場合、複数検出された検出対象画像領域に基づいて、誘目点を画像上の１点に決定する。
これにより、人が注視しやすい検出対象画像領域が複数検出された場合であっても誘目点を１つに決定することができるため、この映像信号表示装置により適切な補正処理を行うことができる。【００１０】
第６の発明は、第５の発明であって、誘目点決定部は、検出対象画像領域が複数検出された場合、複数検出された検出対象画像領域の大きさ、数、位置関係のうち、少なくとも一つに基づいて、誘目点を画像上の１点に決定する。
これにより、複数の検出結果から誘目度の高い点１点を誘目点として決定することができる。
第７の発明は、第１から第６のいずれかの発明であって、誘目点決定部は、検出対象画像領域が検出されない場合、画像により構成される表示画面上の特定位置に相当する画像上の点を誘目点として決定する。
これにより、人が注視しやすい検出対象画像領域が検出されない場合であっても誘目点を決定することができるため、この映像信号表示装置により適切な補正処理を行うことができる。【００１１】
第８の発明は、第７の発明であって、誘目点決定部は、画像により構成される表示画面の略中心に相当する画像上の点を誘目点の初期位置とする。
これにより、目を引く要素が検出されない場合も、一般に人の目を引きやすい画面略中心を中心とした補正効果を得ることができる。
第９の発明は、第１から第８のいずれかの発明であって、補正中心位置決定部は、動画像が６０ｆｐｓ（ｆｒａｍｅｐｅｒｓｅｃｏｎｄ）の映像の場合、制限値を１ピクセル以上４ピクセル以下の固定値とする。
これにより、より適切に、この映像信号表示装置による補正処理が実行することができる。特に、表示部で表示される画像サイズが４２インチ（対角線の長さ）であり、その解像度が横１０２４ピクセル縦７６８ピクセルである場合、この映像信号表示装置により表示される動画において、１フレームあたり４ピクセル以下のスピードで補正中心を移動させることで、補正中心の移動をほとんど目立たなくさせることができる。【００１２】
第１０の発明は、第１から第８のいずれかの発明であって、現画像に基づいて、制限値を変化させる制限値決定部をさらに備える。
第１１の発明は、第１０の発明であって、制限値決定部は、シーンチェンジ情報に基づいて制限値を変化させる。
これにより、この映像信号表示装置において、例えば、補正のばらつきが目立たないシーンチェンジ時には、即座に補正中心を誘目点に移動させることができる。
第１２の発明は、第１０の発明であって、制限値決定部は、過去画像における補正中心点と、現画像における誘目点との間の画像上の距離に従って、制限値を変化させる。
これにより、この映像信号表示装置において、例えば、補正中心の移動に加速度（マイナスの加速度）（つまり、補正中心が誘目点に近づく程、補正中心の移動速度が遅くなる。）を持たせることが可能になり、補正対象の画面上位置が大きく移動した場合にも、速やかに追従することができる。【００１３】
第１３の発明は、第１０の発明であって、制限値決定部は、画像により構成される表示画面上の誘目点の位置に従って、制限値を変化させる。
これにより、この映像信号表示装置において、例えば、画面略中心に向けての移動と、画面略中心からの移動とで、移動速度を変えることができ、顔検出処理等の検出率が悪い場合に、画面略中心を優先的に補正中心とすることができる。
第１４の発明は、第１０の発明であって、制限値決定部は、画像により構成される表示画面において人の目が引きやすい程度を示す度合いである誘目度が大きい程、制限値を大きくする。
これにより、目の引きやすさに応じて補正中心位置の移動速度を変化させることができる。【００１４】
第１５の発明は、第１４の発明であって、誘目点決定部は、現画像から所定の検出対象画像領域を検出し、誘目度を、検出した検出対象画像領域の大きさ、数、画像上の位置、または、検出処理の確からしさのうち、少なくとも一つに基づいて算出する。制限値決定部は、誘目点決定部が算出した誘目度に基づいて、制限値を変化させる。
これにより、この映像信号表示装置において、例えば、目を引きやすい領域にはより速く補正中心位置を移動させることができる。つまり、この構成により、検出処理に基づいた誘目度に基づいた補正処理を行うことができる。
第１６の発明は、第１から第８のいずれかの発明であって、補正中心位置決定部は、補正パラメータ生成部において補正パラメータを生成するために用いられる補正強度によって、制限値を変化させる。【００１５】
これにより、この映像信号表示装置において、例えば、補正中心の移動が知覚されやすい大きな傾斜のときに（信号の低下量が大きいときに）、補正中心の移動を抑制することができる。
また、これにより、動きが目立たない場合に補正中心の移動の速度を上げることができる。即ち、補正強度が小さい場合には補正中心の動きが目立たないため、補正中心位置を速く移動させ、また、補正強度が大きい場合には補正中心の動きが目立つため、補正中心位置をゆっくり移動させる、という制御ができる。
第１７の発明は、複数の画像からなる動画像を表示する映像信号表示方法であって、誘目点決定ステップと、補正中心位置取得ステップと、補正中心位置決定ステップと、補正パラメータ生成ステップと、補正ステップと、表示ステップと、を備える。【００１６】
誘目点決定ステップでは、動画像を構成する１つの画像である現画像における誘目点を決定する。補正中心位置取得ステップでは、現画像より過去の画像である過去画像の補正中心点の座標を取得する。補正中心位置決定ステップでは、過去画像の補正中心点と誘目点との間にあり、かつ、過去画像の補正中心点からの画像上の距離が制限値以下である画像上の点を、現画像における補正中心点とすることで、現画像における補正中心点を決定する。補正パラメータ生成ステップでは、現画像における補正中心点に基づいて補正パラメータを生成する。補正ステップでは、補正パラメータに基づいて現画像を補正する。表示ステップでは、補正ステップにより補正された画像を表示する。
これにより、第１の発明と同様の効果を奏する映像信号表示方法を実現することができる。【００１７】
第１８の発明は、複数の画像からなる動画像を表示する映像信号表示させるコンピュータで実行可能なプログラムである。このプログラムは、コンピュータに、誘目点決定ステップと、補正中心位置取得ステップと、補正中心位置決定ステップと、補正パラメータ生成ステップと、補正ステップと、表示ステップと、を実行させる。
誘目点決定ステップでは、動画像を構成する１つの画像である現画像における誘目点を決定する。補正中心位置取得ステップでは、現画像より過去の画像である過去画像の補正中心点の座標を取得する。補正中心位置決定ステップでは、過去画像の補正中心点と誘目点との間にあり、かつ、過去画像の補正中心点からの画像上の距離が制限値以下である画像上の点を、現画像における補正中心点とすることで、現画像における補正中心点を決定する。補正パラメータ生成ステップでは、現画像における補正中心点に基づいて補正パラメータを生成する。補正ステップでは、補正パラメータに基づいて現画像を補正する。表示ステップでは、補正ステップにより補正された画像を表示する。【００１８】
これにより、第１の発明と同様の効果を奏するプログラムを実現することができる。
第１９の発明は、複数の画像からなる動画像を表示する映像信号表示装置に用いられる集積回路であって、誘目点決定部と、補正中心位置格納部と、補正中心位置決定部と、補正パラメータ生成部と、補正部と、を備える。誘目点決定部は、動画像を構成する１つの画像である現画像における誘目点を決定する。補正中心位置格納部は、現画像より過去の画像である過去画像の補正中心点の座標を保持する。補正中心位置決定部は、誘目点決定部により決定された誘目点と補正中心位置格納部に保持されている過去画像の補正中心点に基づいて、現画像における補正中心点を決定する。補正パラメータ生成部は、現画像における補正中心点に基づいて補正パラメータを生成する。補正部は、補正パラメータに基づいて現画像を補正する。そして、補正中心位置決定部は、過去画像の補正中心点と誘目点との間にあり、かつ、過去画像の補正中心点からの画像上の距離が制限値以下である画像上の点を、現画像における補正中心点とする。補正中心位置格納部は、補正中心位置決定部により決定された現画像における補正中心点の座標を格納する。
これにより、第１の発明と同様の効果を奏する集積回路を実現することができる。
【発明の効果】
【００１９】
本発明によれば、補正情報（補正強度等）を適正に保ちながら、動画におけるフレーム間の補正処理のばらつきにより処理画像上に発生する副作用を抑制しつつ、常に適切な補正処理を行うことができる映像信号表示装置、映像信号表示方法、プログラムおよび集積回路を実現することができる。即ち、本発明によれば、省電力効果を保ちながら、動画の不安定感（フリッカ等）の発生を効果的に抑制することができる映像信号表示装置、映像信号表示方法、プログラムおよび集積回路を実現できる。
【図面の簡単な説明】
【００２０】
【図１】本発明の第１実施形態における映像信号表示装置１０００の構成を示すブロック図
【図２】（ａ）Ｎ番目のフレームにおける誘目点と補正中心点を示した表示画面の模式図。（ｂ）Ｎ＋１番目の誘目点と補正中心点を示した表示画面の模式図。（ｃ）制限値による補正中心点位置制限を説明するための説明図。（ｄ）Ｎ＋２番目のフレームにおける誘目点と補正中心点を示した表示画面の模式図。（ｅ）Ｎ＋３番目の誘目点と補正中心点を示した表示画面の模式図。（ｆ）Ｎ番目のフレームからＮ＋３番目のフレームまでの補正中心点の移動経路を示した説明図。
【図３】Ｙ成分の映像信号IｎＹにより形成される表示画面を示した模式図。
【図４】補正傾斜ゲインを説明するための図。
【図５】本発明の第２実施形態における映像信号表示装置２０００の構成を示すブロック図。
【図６】制限値の制御例を示した説明図
【発明を実施するための形態】
【００２１】
以下本発明の実施の形態について、図面を参照しながら説明する。
［第１実施形態］
＜１．１：映像信号表示装置の構成＞
図１は、本発明の第１実施形態における映像信号表示装置１０００のブロック図である。
本実施形態の映像信号表示装置１０００は、主として、映像信号処理部１００と、映像信号表示部１１０とをから構成される。
映像信号処理部１００は、入力映像信号を映像変換し、出力映像信号を出力するもので、入力映像信号に対して色空間の変換を行う色変換部１０１と、色変換部１０１により変換された明るさ成分の映像信号を記憶する第１記憶部１０２と、色変換部１０１により変換された明るさ成分でない成分の映像信号を記憶する第２記憶部１０３と、を備える。また、映像信号処理部１００は、第１記憶部１０２から出力される映像信号を解析し誘目点を決定する誘目点決定部１０４と、過去のフレームにおける補正中心位置の座標情報を格納する補正中心位置格納部１０５と、補正中心位置格納部１０５および誘目点決定部からの出力に基づいて補正中心位置を決定する補正中心位置決定部１０６と、を備える。さらに、映像信号処理部１００は、補正中心位置決定部からの出力に基づいて補正パラメータを生成する補正パラメータ生成部１０７と、補正パラメータ生成部１０７により生成された補正パラメータにより第１記憶部から出力される映像信号の補正を行う補正部１０８と、補正部１０８により補正された映像信号（明るさ成分の映像信号）と第２記憶部１０３から出力される映像信号（明るさ成分でない成分の映像信号）とを色逆変換することで出力映像信号を取得する色逆変換部１０９と、を備える。
【００２２】
映像信号表示部１１０は、映像信号処理部１００から出力された出力映像信号を表示画面に表示する。
以下、各構成要素について説明する。
色変換部１０１は、入力映像信号のＲＧＢ色空間をＹｕｖ色空間に変換する。具体的には、入力映像信号のＲ成分映像信号、Ｇ成分映像信号およびＢ成分映像信号から、明るさ成分の映像信号ＩｎＹ（Ｙ成分の映像信号）と、明るさ成分でない成分の映像信号ｕ（ｕ成分の映像信号）および映像信号ｖ（ｖ成分の映像信号）と、に変換する。そして、色変換部は、変換したＹ成分の映像信号ＩｎＹを第１記憶部１０２に出力し、ｕ成分の映像信号ｕおよびｖ成分の映像信号ｖを第２記憶部１０３に出力する。なお、入力映像信号は、ＲＧＢ色空間で表現されるものに限定されるものではない。また、色変換部１０１が変換する色空間もＹｕｖ色空間に限定されるものでもないのは言うまでもない。以下においては、説明便宜のため、入力映像信号がＲＧＢ色空間で表現される信号であり、入力映像信号が色変換部によりＹｕｖ色空間に変換されるものとして説明する。
【００２３】
第１記憶部１０２は、色変換部１０１から出力される明るさ成分（即ち、Ｙ成分の映像信号ＩｎＹ）を１フレーム分記憶し、記憶したＹ成分の映像信号ＩｎＹを所定のタイミングで補正部１０８および誘目点決定部１０４に出力する。なお、第１記憶部は、例えば、１フレーム分の映像信号を記憶することができるメモリ（フレームメモリ等）により実現することができる。
第２記憶部１０３は、色変換部１０１から出力される明るさ成分でない成分（即ち、ｕ成分の映像信号ｕおよびｖ成分の映像信号ｖ）を１フレーム分記憶し、記憶したｕ成分の映像信号およびｖ成分の映像信号を所定のタイミングで色逆変換部１０９に出力する。第２記憶部１０３は、色逆変換部１０９において、正しく色逆変換されるタイミングで、ｕ成分の映像信号およびｖ成分の映像信号を出力する。例えば、映像信号が形成する画像（映像）上の任意の画素位置をｐ１（ｘ、ｙ）とし、画素位置ｐ１（ｘ、ｙ）に対応する補正部１０８から出力されるＹ成分の映像信号をＯｕｔＹ（ｘ、ｙ）とし、第２記憶部１０３から出力される画素位置ｐ１（ｘ、ｙ）に対応するｕ成分の映像信号およびｖ成分の映像信号を、それぞれ、Ｏｕｔｕ（ｘ、ｙ）およびＯｕｔｖ（ｘ、ｙ）とし、画素位置ｐ１（ｘ、ｙ）に対応する色逆変換部１０９から出力される出力映像信号をＯｕｔＲＧＢ（ｘ、ｙ）とする。このとき、出力映像信号Ｏｕｔ（ｘ、ｙ）が、ＯｕｔＹ（ｘ、ｙ）、Ｏｕｔｕ（ｘ、ｙ）およびＯｕｔｖ（ｘ、ｙ）とから色逆変換により生成されるように、第２記憶部１０３は、第２記憶部１０３から出力されるｕ成分の映像信号およびｖ成分の映像信号の出力タイミングを調節する。
【００２４】
誘目点決定部１０４は、第１記憶部１０２から出力されるＹ成分の映像信号を入力とし、そのＹ成分の映像信号を解析し誘目点を決定する。そして、決定した誘目点の位置情報（例えば、映像信号により形成される１枚の画像上の座標を示す情報）を補正中心位置決定部１０６に出力する。
ここで誘目点とは、映像信号が形成する画像（映像）において、人の目を引きやすい（入力）映像信号が形成する画像上の点（または領域）である。つまり、誘目点とは、映像信号が形成する画像を表示装置に表示させたとき、その表示画面において人の目を引きやすい表示画面上の点（または領域）である。例えば、顔を含む映像信号を表示装置の表示画面に表示した場合、表示画面上の顔の部分は、人の目を引きやすい。このため、誘目点決定部１０４は、誘目点決定部１０４に入力されたＹ成分の映像信号に対して顔検出処理を行い、顔が検出された場合、その検出された領域（映像信号が形成する画像上における顔の部分であると検出した画像領域）の中心を誘目点とする。また、誘目点決定部１０４は、顔を検出することができなかった場合、一般的に人の目を引きやすい表示画面略中心（映像信号が形成する１枚の画像上の中心点）を誘目点とする。
【００２５】
なお、誘目点決定部１０４は、必ずしも、検出対象を顔として誘目点の検出・決定する必要はなく、例えば、テロップ文字、画面上静止オブジェクト（動きベクトルより解析）等を検出対象とし、誘目点を決定するようにしてもよい。また、検出対象の検出処理の具体的方法は周知のもので差し支えないので、詳細な説明は省略する。
補正中心位置格納部１０５は、過去フレームにおける補正中心位置の座標情報（映像信号により形成される１枚の画像上の座標についての情報）を格納する。これは、後述する補正中心位置決定部１０６により出力される補正中心位置に関する情報（例えば、補正中心位置座標を示す情報）を格納しておくものである。
補正中心位置決定部１０６は、誘目点決定部１０４により決定された誘目点の位置情報と、補正中心位置格納部１０５に格納された過去フレームにおける補正中心位置の情報とを入力とし、誘目点決定部１０４により決定された誘目点の位置情報と、補正中心位置格納部１０５に格納された過去フレームにおける補正中心位置の情報とから、現フレームにおける補正中心位置を決定する。そして、補正中心位置決定部１０６は、決定した現フレームにおける補正中心位置に関する情報（例えば、補正中心位置座標を示す情報）を補正中心位置格納部１０５および補正パラメータ生成部１０７に出力する。
【００２６】
補正パラメータ生成部１０７は、補正中心位置決定部１０６により決定された補正中心位置に関する情報を入力とし、補正中心位置決定部１０６により決定された補正中心位置に関する情報に基づいて補正パラメータを生成する。そして、補正パラメータ生成部１０７は、生成した補正パラメータを補正部１０８に出力する。
補正部１０８は、補正パラメータ生成部１０７が設定（生成）した補正パラメータおよび第１記憶部１０２から出力されるＹ成分の映像信号ＩｎＹを入力とし、補正パラメータ生成部１０７が設定（生成）した補正パラメータに基づいて、第１記憶部１０２から出力されるＹ成分の映像信号ＩｎＹを補正する。そして、補正部１０８は、補正した映像信号ＩｎＹを色逆変換部１０９に出力する。
色逆変換部１０９は、Ｙｕｖ色空間の出力映像信号ＯｕｔＹをＲＧＢ色空間へ逆変換する。つまり、色逆変換部１０９は、補正部１０８から出力されるＹ成分の映像信号ＩｎＹと、第２記憶部１０３から出力されるｕ成分の映像信号ｕおよびｖ成分の映像信号ｖと、を入力とし、補正部１０８から出力されるＹ成分の映像信号ＩｎＹと、第２記憶部１０３から出力されるｕ成分の映像信号ｕおよびｖ成分の映像信号ｖと、に対して色空間変換処理（Ｙｕｖ色空間からＲＧＢ色空間への変換処理）を行う。そして、出力映像信号ＯｕｔＲＧＢを取得し、取得した出力映像信号ＯｕｔＲＧＢを映像信号表示部１１０に出力する。
【００２７】
なお、本実施形態では、入力映像信号と出力映像信号とは、いずれもＲＧＢ色空間で表現され、映像信号処理部１００の内部処理はＹｕｖ色空間で行われることにしている。しかしながら、映像信号処理部１００の内部処理で使用される明るさ成分の映像信号は、ＹＣｂＣｒ色空間の明るさ成分（Ｙ）等種々の明るさ成分の映像信号であってもよい。また、色空間の変換が必要なければ、色変換部１０１あるいは色逆変換部１０９は省略できる。なお、色変換部１０１あるいは色逆変換部１０９が使用する色空間変換のための変換式は、周知のもので差し支えなく、本発明は色変換／色逆変換を骨子とするものではないから、詳細な説明は省略する。
映像信号表示部１１０は、色逆変換部１０９から出力される出力映像信号ＯｕｔＲＧＢを入力とし、出力映像信号ＯｕｔＲＧＢにより形成される映像を表示する。映像信号表示部１１０は、自ら光を発する自発光型で、調光可能な表示画面を有し、出力映像信号に応じて、位置ｉ（出力映像信号により形成される画像上の位置ｉ）ごとに光量を調節することができる。映像信号表示部１１０の代表例として、２枚のガラスの間にヘリウムやネオンなどの高圧のガスを封入し、そこに電圧をかけることによって発光させるプラズマディスプレイ、電圧をかけると発光する有機物質を利用した有機ＥＬ、電子銃を利用したＣＲＴ（Ｃａｔｈｏｄｅ  Ｒａｙ  Ｔｕｂｅ）、および平面状の電子放出源（エミッター）から真空中に電子を放ち、蛍光体にぶつけて発光させるＦＥＤ（Ｆｉｅｌｄ  Ｅｍｉｓｓｉｏｎ  Ｄｉｓｐｌａｙ）がある。
【００２８】
＜１．２：映像信号表示装置の動作＞
以上のように構成された映像信号表示装置の動作について、以下説明する。
入力映像信号は、色変換部１０１により、ＲＧＢ色空間の映像信号からＹｕｖ色空間の映像信号であるＹ成分の映像信号ＩｎＹと、ｕ成分の映像信号ｕおよびｖ成分の映像信号ｖと、に変換される。色変換部１０１により変換されたＹ成分の映像信号ＩｎＹは、第１記憶部１０２に出力され、第１記憶部１０２で記憶される。一方、色変換部１０１により変換されたｕ成分の映像信号ｕおよびｖ成分の映像信号ｖは第２記憶部１０３に出力され、第２記憶部１０３で記憶される。
第１記憶部１０２に記憶されたＹ成分の映像信号IｎＹは、誘目点決定部１０４に出力される。
【００２９】
誘目点決定部１０４では、第１記憶部１０２に記憶されたＹ成分の映像信号IｎＹを解析することで、第１記憶部１０２に記憶されたＹ成分の映像信号IｎＹから誘目点を決定する。そして、決定された誘目点の位置情報（例えば、映像信号により形成される１枚の画像上の座標を示す情報）は、補正中心位置決定部１０６に出力される。
誘目点決定部１０４は、例えば、次のようにして、Ｙ成分の映像信号IｎＹを解析し、誘目点を決定する。
（ａ１）Ｙ成分の映像信号IｎＹにより形成される画像において、人間の顔あるいは人間の顔のパーツを含む部分を検出し、この検出した領域の中心点（例えば、画像領域の重心点）を誘目点に決定する。
（ａ２）Ｙ成分の映像信号IｎＹにより形成される画像において、文字を含む部分を検出し、この検出した領域の中心点（例えば、画像領域の重心点）を誘目点に決定する。
【００３０】
（ａ３）上記（ａ１）および（ａ２）において、誘目点が決定できなかった場合、Ｙ成分の映像信号IｎＹにより形成される画像（即ち表示画面に相当）の特定位置（例えば、表示画面の中央の位置）を誘目点に決定する。
このようにして、誘目点決定部１０４により、誘目点が決定される。
なお、誘目点決定部１０４は、上記（ａ１）および（ａ２）に相当する領域が複数検出された場合、それらの検出結果をもとに誘目点を１点に決定する。誘目点決定部１０４は、検出画像領域の大きさ、数、位置関係のうち、少なくとも１つに基づいて誘目点を決定する。
例えば、誘目点決定部１０４は、以下のようにして、誘目点を決定する。
（ｂ１）検出した画像領域のうち、一番大きな画像領域に基づいて誘目点を決定する（例えば、一番大きな画像領域の中心点（重心点）を誘目点に決定する）。
【００３１】
（ｂ２）検出した画像領域の数が所定の値ｔｈ以上である場合、全画像領域の所定の位置（例えば画像の中心点（表示画面の中心点に相当））を誘目点に決定する。
（ｂ３）検出した複数の画像領域の位置が密集している場合、その複数の画像領域により形成される画像領域の中心点を誘目点に決定する。
（ｂ４）検出した複数の画像領域の位置が密集していない場合、全画像領域の所定の位置（例えば画像の中心点（表示画面の中心点に相当））を誘目点に決定する。
なお、上記（ｂ３）および（ｂ４）における検出した複数の画像領域の位置が密集しているか否かについては、例えば次のようにして決定する。これについて、図３を用いて説明する。
図３（ａ）、（ｂ）は、Ｙ成分の映像信号IｎＹにより形成される表示画面を示した模式図である。
【００３２】
誘目点決定部１０４は、図３で示される表示画面（Ｙ成分の映像信号IｎＹにより形成される画像）を、図３に示すように、領域Ａ〜Ｄに４分割し、それぞれの分割領域において、上記（ａ１）および（ａ２）で説明した領域を検出する。ここでは、人の顔の画像領域を検出している。
図３（ａ）では、領域Ａにおいて、５つの人の顔の画像領域を検出しており、領域Ｂ〜Ｄにおいては、上記（ａ１）および（ａ２）で説明した検出画像領域の数は「０」である。したがって、この場合、領域Ａにおいて、誘目点決定部１０４は、検出した複数の画像領域の位置が密集していると判断する。そして、誘目点決定部１０４は、領域Ａの５つの顔を形成している画像領域の中心点ＹＰ１を誘目点に決定する。
なお、ここでは、４分割した領域において、所定数ｔｈ（＝２）以上の検出領域が存在する場合、誘目点決定部１０４は、検出した複数の画像領域の位置が密集していると判断するようにしているが、ｔｈ＝２でなくてもよいことは言うまでもない。
【００３３】
また、図３（ｂ）では、領域Ａ〜Ｄのそれぞれの領域において１つずつ検出画像領域が存在しているので（いずれの領域においても所定数ｔｈ（＝２）以上の検出画像領域が検出されていないので）、誘目点決定部１０４は、検出した複数の画像領域の位置が密集していないと判断する。そして、この場合、誘目点決定部１０４は、上記（ｂ４）の通り、全画像領域（図３の１表示画面に相当）の所定の位置である表示画面の中心点ＹＰ２を誘目点に決定する。なお、この場合の誘目点は、厳密に表示画面の中心点でなくてもよく、表示画面の中心付近の点であってもよいことは言うまでもない。
また、上記では、画面を４分割する場合について説明したが、画面の分割数はこれに限定されることはなく、他の分割数でもよい。
以上のようにして決定された誘目点の位置情報は、補正中心位置決定部１０６に出力される。
【００３４】
補正中心位置決定部１０６では、誘目点決定部１０４により決定された誘目点の位置情報と、補正中心位置格納部１０５に格納された過去フレームにおける補正中心位置の情報と、から現フレームにおける補正中心位置が決定される。
これについて、以下詳細に説明する。
本実施形態では、現フレームの補正中心位置が１フレーム前の補正中心点と現フレームの誘目点との間にあり、かつ、現フレームの補正中心位置と１フレーム前の補正中心点座標との間の距離が、制限値以下となるように、現フレームの補正中心位置を決定する場合について、図２を用いて、詳細に説明する。
図２は、映像信号により形成される映像を表示装置に表示した場合の表示画面の模式図である。
【００３５】
図２（ａ）は、顔を中心として補正がかかっていることを示した図であり、図２（ａ）中の黒点「●」は、補正中心ＨＣを示しており、図２（ａ）中のバツ印「×」を付した点は、誘目点ＹＰを示している。そして、図２（ａ）では、補正中心ＨＣを中心として同心円状に補正がかかっている状態を示している（図２（ａ）の同心円上の点における補正処理の程度（補正強度）が同等であることを示している）。なお、図２（ａ）中の同心円は実際の表示画面において表示されているものではなく、説明のために、描いているものである（図２（ｂ）、（ｄ）、（ｅ）および（ｆ）においても同様）。
図２（ｂ）は、図２（ａ）のフレーム（以下、図２（ａ）のフレームを「Ｎ番目のフレーム」という。）の次のフレーム（以下、このフレームを「Ｎ＋１番目のフレーム」という。）において、顔位置が変化した場合の図である。以下、説明便宜のために、Ｎ番目のフレームの補正中心ＨＣの位置を「ＨＣ（Ｎ）」と表記し、Ｎ番目のフレームの誘目点ＹＰの位置を「ＹＰ（Ｎ）」と表記する。
【００３６】
図２（ｂ）において、誘目点ＹＰの位置は顔の位置であるが、補正中心ＨＣの位置は制限値によって調整する。
つまり、１フレーム前のフレームであるＮ番目のフレーム（図２（ａ））における補正中心ＨＣ（Ｎ）と、現フレームであるＮ＋１番目のフレーム（図２（ｂ））における誘目点ＹＰ（Ｎ＋１）との間の距離をｒとし、制限値をＬｉｍ＿ｒとすると、補正中心位置決定部１０６は、
（１）ｒ＜＝Ｌｉｍ＿ｒならば、現フレームの補正中心ＨＣ（Ｎ＋１）を、誘目点ＹＰ（Ｎ＋１）の位置に決定する。
（２）また、ｒ＞Ｌｉｍ＿ｒならば、現フレームの補正中心ＨＣ（Ｎ＋１）を、１フレーム前の補正中心点ＨＣ（Ｎ）と現フレームの誘目点ＹＰ（Ｎ＋１）との間で、かつ、１フレーム前の補正中心ＨＣ（Ｎ）からＬｉｍ＿ｒだけ離れた位置に決定する。
【００３７】
図２（ｃ）を用いて説明すると、白丸「○」で示した点は、１フレーム前の補正中心ＨＣ（Ｎ）（図２（ａ）の補正中心）であり、バツ印「×」で示した点は、現フレームの誘目点ＹＰ（Ｎ＋１）（図２（ｂ）の誘目点）を示している。ｒ＞Ｌｉｍ＿ｒである場合、補正中心位置決定部１０６により、現フレームの補正中心位置ＨＣ（Ｎ＋１）（「●」で示した点）は、１フレーム前の補正中心ＨＣ（Ｎ）（「○」で示した点）からＬｉｍ＿ｒだけ離れた位置に決定される。
図２（ｄ）は、図２（ｂ）の次のフレーム（Ｎ＋２番目のフレーム）、図２（ｅ）はさらに次のフレーム（Ｎ＋３番目のフレーム）での、補正中心位置ＨＣを示した図である。ここでは、図２（ａ）、（ｂ）、（ｄ）、（ｅ）の４フレームかけて、補正中心位置ＨＣは、誘目点ＹＰまで到達することになる（図２（ｆ）参照）。
【００３８】
制限値が大きい場合、過去フレームの補正中心から現フレームの補正中心までの距離が長くなり、逆に、制限値が小さい場合、それが短くなる。即ち、補正中心位置が表示画面上を誘目点まで移動するとみれば、制限値が大きいとその移動スピードが速く、小さければ移動スピードが遅いといえる。
本発明者らが実験的に確認したところ、解像度が横１０２４ピクセル縦７６８ピクセルの４２インチプラズマディスプレイでは、６０ｆｐｓ（ｆｒａｍｅ  ｐｅｒ  ｓｅｃｏｎｄ）の映像で１フレームあたり４ピクセル以下のスピードで補正中心を移動させれば、補正中心の移動は目立たないことが分かった（つまり、人間の視覚特性上、補正中心の移動が認識できないため、表示画面を見ている者が違和感を抱くことがほとんどないことが分かった）。そこで、本実施形態では前記制限値を４ピクセルの固定値とする。なお、この値が好ましいが、他の値にしても本発明の効果を奏することができることは言うまでもない。
【００３９】
なお、制限値は、ユーザがメニュー画面等で選択することにより入力できるようにしてもよいし、入力映像のジャンル（映画、スポーツ、ニュース等）により切り替えられるようにしてもよい。
また、本実施形態では、過去フレームの補正中心位置と現フレームの補正中心位置との直線距離に対して制限値を与えているが、水平方向、垂直方向に分けて制限値を与えてもよい。
以上のようにして、補正中心位置決定部１０６により決定された補正中心位置の座標情報は、補正中心位置格納部１０５および補正パラメータ生成部１０７に出力される。
補正中心位置格納部１０５は、補正中心位置決定部１０６により決定された現フレームの補正中心位置の座標情報を記憶し、この現フレームの補正中心位置の座標情報を、次のフレームの処理において、過去フレームにおける補正中心位置の座標情報として補正中心位置決定部１０６に出力する。
【００４０】
なお、本実施形態では、格納しておく座標情報は１フレーム分とした場合を例に説明するが、複数フレーム分の情報を格納してもよい。その場合は、過去数フレームにわたる中心位置の移動履歴情報が得られるため、後述の補正中心位置決定部１０６では、その移動履歴に沿った補正中心位置の制御が可能になる。
補正パラメータ生成部１０７では、補正中心位置決定部１０６により決定された現フレームの補正中心位置の座標情報から、補正パラメータが生成される。即ち、表示画面内のある点ｐと、補正中心位置ＨＣとの距離に基づき、補正中心位置ＨＣから周辺に向けて表示画面の輝度を低下させるような信号へ補正するための補正パラメータである補正傾斜ゲインが、補正パラメータ生成部１０７により生成する。
ここで、「補正傾斜ゲイン」とは、映像信号が形成する画像（映像）の各画素において、信号値（各画素の画素値に相当。）を低下させる割合を示す。入力信号値に、この補正傾斜ゲインを乗算した値が、該画素の信号値を低下させる量となる。
【００４１】
図４を用いて、より詳細に説明する。
図４（ａ）は、映像信号表示装置１０００の表示画面を表し、同じ補正傾斜ゲイン値が与えられる画素を線で結ぶことで等高線を形成したものである。各等高線上の数値（図４（ａ）において矢印で示している数値）は、補正傾斜ゲインによる信号値の低下度合い（＝出力信号値／入力信号値）を示している。つまり、図４（ａ）は、補正中心をＱ点としたときの補正中心Ｑから表示画面の周辺に向けて、輝度が低下している様子を示した空間形状の図である。なお、図４では、補正中心Ｑから、滑らかに補正傾斜ゲインを変化させるために、ガウス関数を用いている。
図４（ｂ）は、正規化された距離と、正規化後のガウス関数の値との関係を示している。図４（ｂ）において、横軸は正規化された距離であり、縦軸は正規化されたガウス関数の値である。この波形に基づいて、各画素における補正傾斜ゲイン値を決定する。
【００４２】
なお、正規化された距離とは、画面中央と画面隅の距離で正規化された距離であって、
【数１】
2009141980.tif 000003
である。ｒｐｑがｒ＿ｍａｘより大きい場合は、ｒｐｑをｒ＿ｍａｘで飽和させる。
また、距離ｒｐｑとは、表示画面上のある画素ｐと補正中心Ｑの座標（ｘｑ，ｙｑ）から求めるスカラー量であり、ここでは、（数式２）で表された単純な距離とするが、これに限定される必要はなく、例えば、特許文献２に記載の楕円空間や矩形空間での距離としてもよい。
【数２】
2009141980.tif 000004
ここで、（ｘｐ，ｙｐ）をある画素ｐの座標とし、（ｘｑ，ｙｑ）を補正中心点Ｑの座標とする。
【００４３】
また、正規化されたガウス関数とは、
【数３】
2009141980.tif 000005
である。
なお、ｇａｕｓｓは、ガウス関数を表しており、
【数４】
2009141980.tif 000006
である。ここで、ｅｘｐは指数とする。また、σは定数（＝０．３５）であり、ガウス関数の波形形状を規定する。
図４（ｃ）に、距離ｒｐｑと補正傾斜ゲインとの関係を示す。図４（ｃ）の横軸においては、補正中心Ｑを原点としている。
【００４４】
ある画素ｐにおける補正傾斜ゲインｇａｉｎｐは、距離から求められるスカラー量であり、ここでは、人が輝度の低下を検知し難いように、補正傾斜ゲインが滑らかに変化するガウス関数を用いた（数式５）により、補正傾斜ゲインを算出する。
【数５】
2009141980.tif 000007
ここで、Ｋは０〜１の定数（実数）であり、最大信号低下率（＝最大信号低下量／最大信号値）である。ここで、最大信号値とは、信号の取りうる最大の値で、８ビットのデータならば「２５５」がこれに当たる。また、最大信号低下量とは、該補正により最大信号値から低下する量（低下する信号値の量）の最大の値である。例えば、図４（ｃ）に示したＳ点（補正中心Ｑから最も距離の大きい点）での信号低下量がこれに該当する（補正中心Ｑから最も距離の大きい点では、最も信号値が低下する（信号値が最小値をとる））。
なお、最大信号低下率Ｋを設定することは、全体補正強度を設定することに相当する。ここで「全体補正強度」とは、画面全体の補正量の概略を示す値である。Ｋを大きく設定すれば最大信号低下量が大きくなり、画面全体の補正量が大きくなる（画面全体での発光低下量が大きくなる）。また、Ｋを小さく設定すれば最大信号低下量が小さくなり、画面全体の補正量が小さくなる（画面全体での発光低下量が小さくなる）。
【００４５】
なお、最大信号低下率Ｋは入力信号に応じて変化させてもよい。例えば、特願２００７−０１２２１４号に開示の技術のように、発光量低下が検知されないように調整することが望ましい。
以上により、ある点ｐに対する傾斜ゲインｇａｉｎｐを生成することができる。同様に全ての点（全ての画素に対応する点）に対して、傾斜ゲインを生成する。
以上のようにして、補正パラメータ生成部１０７により生成された補正パラメータは、補正部１０８に出力される。
第１記憶部１０２から出力されるＹ成分の映像信号ＩｎＹは、補正部１０８により、補正パラメータ生成部１０７により生成された補正パラメータに基づいて補正される。
【００４６】
例えば、補正部１０８に入力されるＹ成分の映像信号ＩｎＹの信号レベル（入力信号レベル）と補正パラメータとの積で、入力信号レベルに対する低下量を求め、その低下量を入力映像信号ＩｎＹから減算し、出力映像信号ＯｕｔＹの信号レベルを得る。つまり、（数６）で表される処理を行うことで、補正部１０８により補正後のＹ成分の映像信号ＯｕｔＹが取得される。
【数６】
2009141980.tif 000008
【００４７】
なお、ここで、映像信号が形成する画像（映像）の画素ｐにおける入力信号および出力信号をそれぞれ、ＩｎＹ＿ｐ、ＯｕｔＹ＿ｐと表記する。
これにより、ある点（画素）Ｐに対する出力信号値を得る。また、同様に全ての点（画素）に対して出力信号値を得ることで、１フレーム分の映像信号を取得（補正）することができる。
このようにして、補正部１０８により補正されたＹ成分の映像信号ＯｕｔＹは、色逆変換部１０９に出力される。
補正されたＹ成分の映像信号ＯｕｔＹと、第２記憶部１０３から出力されたｕ成分の映像信号ｕおよびｖ成分の映像信号ｖとは、色逆変換部１０９により、色空間逆変換（Ｙｕｖ色空間からＲＧＢ色空間への色空間変換）処理が実行され、出力映像信号ＯｕｔＲＧＢに変換される。そして、色逆変換部１０９により処理された出力映像信号ＯｕｔＲＧＢは、映像信号表示部１１０に出力される。
【００４８】
色逆変換部１０９から出力された出力映像信号ＯｕｔＲＧＢは、映像信号表示部１１０おいて映像として表示される。
以上の通り、映像信号表示装置１０００によれば、入力映像信号のうち人が注視しやすい領域の明るさ感を維持しつつ、消費電力を削減することができる。さらに、人が注視しやすい領域が表示画面上で大きく場所を変えた場合にも、画面全体の補正量（ここでは画面全体での信号低下量）を大きく変えることなく効果を維持することができる。また、映像信号表示装置１０００では、誘目点と過去フレームの補正中心との関係を考慮して現フレームの補正中心を決定するため、フレーム間の補正変動による急激な動画像の変動を抑制することができる。その結果、映像信号表示装置１０００では、フレーム間で急激に変動する動画像であっても適切な補正処理を行うことができ、常に適切な動画像を得ることができる。
【００４９】
［第２実施形態］
次に、本発明の第２実施形態について説明する。
図５は、本発明の第２実施形態に係る映像信号表示装置２０００のブロック図である。
図５において、第１実施形態に係る映像信号表示装置１０００と同じ構成要素については同じ符号を用い、説明を省略する。
本実施形態に係る映像信号表示装置２０００は、図５に示すように、第１実施形態に係る映像信号表示装置１０００の構成に、さらに、制限値決定部２０１を備えている点が、第１実施形態に係る映像信号表示装置１０００とは相違する。即ち、映像信号表示装置２０００では、制限値が固定値ではなく、変数（変動する値）となる点が、映像信号表示装置１０００との相違点となる。
【００５０】
制限値決定部２０１は、第１記憶部１０２から出力されるＹ成分の映像信号ＩｎＹを入力とし、Ｙ成分の映像信号ＩｎＹから制限値を決定し、決定した制限値を補正中心位置決定部１０６に出力する。
制限値決定部２０１は、制限値決定部２０１に入力されるＹ成分の映像信号ＩｎＹに応じて制限値を決定する。即ち、制限値決定部２０１は、制限値決定部２０１に入力されるＹ成分の映像信号ＩｎＹからシーンチェンジ検出を行い、シーンチェンジ時であると判定した場合には制限値を大きくする。ここで「シーンチェンジ」とは、場面が転換するフレームのことである。シーンチェンジでは映像が大きく変化するため（つまり、現フレームの映像（画像）と１フレーム前のフレームの映像（画像）とが大きく異なるため）、補正のばらつきが目立たない。
【００５１】
したがって、補正のばらつきが目立たないシーンチェンジ時には、即座に補正中心を誘目点に移動させることができる。
また、制限値決定部２０１での制限値の決定方法については、次のように変更できる。
（変更点１）
上記では、制限値決定部２０１は、シーンチェンジ情報に従って制限値を決定する場合について説明したが、入力映像信号を周波数空間に変換し、さらに空間周波数成分が特定の帯域にある成分を抽出し、（数式７）により算出される、その二乗和からなる値（パワー）Ｃに従って決定してもよい。より具体的には、入力映像信号に対してＦＦＴフィルタを施し、さらにその０〜１ｃｐｄ（ｃｙｃｌｅ  ｐｅｒ  ｄｅｇｒｅｅ）の成分の二乗和を求め、その値に従って制限値を決定する。
【数７】
2009141980.tif 000009
【００５２】
なお、ｃｐｄ（ｃｙｃｌｅ  ｐｅｒ  ｄｅｇｒｅｅ）とは、視角であり、例えば、表示画面の水平画素数が「１０２４」であり、視角が３３度であるとき、空間周波数の最高値は、約１５．５ｃｐｄとなる。また、Ｆ（ω）は、入力映像信号ＩｎＹをフーリエ変換した結果である。なお、ここでは、フーリエ変換で説明したが、離散コサイン変換やウェーブレット変換等の他の変換によるものであってよい。
また、（数式７）において、積分範囲を０ｃｐｄ〜１ｃｐｄとすることが好ましいが、（数式７）の積分範囲がこれに限定されることがないことは言うまでもない。
図６（ａ）は、横軸に前記パワーＣをとり、縦軸に制限値を示した（パワーＣ）−（制限値）特性の一例を示すグラフである。図６（ａ）に示すように、パワーＣが大きいと補正が知覚されにくいため、制限値を大きくし、パワーが小さいと補正が知覚されやすいため、制限値を小さくしている。
【００５３】
つまり、制限値決定部２０１は、図６（ａ）に示す特性に基づいて、制限値を決定する。
映像信号表示装置２０００において、このように制限値を決定することで、補正の知覚のされやすさに従って補正中心の移動スピードを調整することができる。
（変更点２）
制限値決定部２０１は、誘目点までの距離に従って制限値を決定してもよい。即ち、１フレーム前の補正中心位置と現フレームの誘目点との間の距離をもとに、制限値を決定してもよい。
図６（ｂ）は、横軸に上記距離をとり、縦軸に制限値を示した（１フレーム前の補正中心位置と現フレームの誘目点との間の距離）−（制限値）特性の一例を示すグラフである。図６（ｂ）の特性から分かるように、上記距離が長いほど制限値を大きくし、短いほど制限値を小さくしている。
【００５４】
映像信号表示装置２０００において、このように制限値を決定することで、補正中心の移動に加速度（マイナスの加速度）（つまり、補正中心が誘目点に近づく程、補正中心の移動速度が遅くなる。）を持たせることが可能になり、補正対象の画面上位置が大きく移動した場合にも、速やかに追従することができる。
（変更点３）
制限値決定部２０１は、誘目点の画面上の位置によって制限値を決定してもよい。即ち、画面略中心と誘目点との距離をもとに、制限値を決定してもよい。
図６（ｃ）は、横軸に上記距離をとり、縦軸に制限値を示した（画面略中心と誘目点との距離）−（制限値）特性の一例を示すグラフである。図６（ｃ）の特性から分かるように、上記距離が長いほど制限値を小さくし、短いほど制限値を大きくしている。これは、一般に人が注目する画面上の位置は画面略中心であることに基づいている。
【００５５】
映像信号表示装置２０００において、このように制限値を決定することで、画面略中心に向けての移動と、画面略中心からの移動とで、移動速度を変えることができ、顔検出処理等の検出率が悪い場合に、画面略中心を優先的に補正中心とすることができる。
（変更点４）
制限値決定部２０１は、誘目度に従って制限値を決定してもよい。ここで「誘目度」とは、検出対象物の目の引度合いである。本実施形態では、誘目点決定部１０４にて顔等の画像領域の検出を行って、誘目点を決定するが、このとき、検出した顔等の画像領域の大きさに従った誘目度を決定する。顔等の検出画像領域が大きいほど誘目度は大きい値となる。制限値決定部２０１は、この誘目度に従って制限値を決定する。誘目度は、０〜１の実数値とすることが好ましい。
【００５６】
なお、誘目度は顔の大きさに従って決定することに限らない。例えば、画面上の位置（中心から遠いほど目を引きにくい）、検出の確からしさ（検出が不確かな物体は目を引きにくい）、などを利用して誘目度を決定してもよい。
例えば、検出した画像領域の輪郭が人間の顔に類似しているが、その色が肌色ではない場合、当該検出した画像領域は、たまたま人間の顔の形状に近い他のオブジェクトである可能性もあるため、誘目度を低く設定する（例えば、誘目度を「０．５」に設定する（誘目度が０〜１の実数値をとるものとする））。
一方、検出した画像領域の輪郭が人間の顔に類似しており、かつ、その色が肌色である場合、当該検出した画像領域は、人間の顔を形成する画像領域である可能性が高いため、誘目度を高い値に設定する（例えば、誘目度を「０．９」に設定する（誘目度が０〜１の実数値をとるものとする））。
【００５７】
図６（ｄ）は、横軸に上記誘目度をとり、縦軸に制限値を示した（誘目度）−（制限値）特性の一例を示すグラフである。図６（ｄ）の特性から分かるように、上記誘目度が大きいほど制限値を大きくし、小さいほど制限値を小さくしている。
映像信号表示装置２０００において、このように制限値を決定することで、目を引きやすい領域にはより速く補正中心位置を移動させることができる。
なお、誘目度は、図５に示すように、誘目点決定部１０４により算出し、算出した誘目度を制限値決定部２０１に出力するようにすることが好ましい。なお、誘目度を、制限値決定部２０１で算出するようにしてもよい。
（変更点５）
制限値決定部２０１は、全体補正強度に従って制限値を決定してもよい。即ち、補正パラメータ生成部１０７により生成される補正傾斜ゲインの最大値（最大信号低下率Ｋ）をもとに、制限値を決定してもよい。
【００５８】
これは、傾斜が大きい（信号の低下量が大きい）と補正中心の移動が知覚されやすく、傾斜が小さい（信号の低下量が小さい）と補正中心の移動が知覚されにくいという知見に基づいている。
図６（ｅ）は、横軸に前記最大信号低下率Ｋをとり、縦軸に制限値を示した（最大信号低下率）−（制限値）特性の一例を示すグラフである。図６（ｅ）の特性から分かるように、上記最大信号低下率が大きいほど制限値を小さくし、小さいほど制限値を大きくしている。
映像信号表示装置２０００において、このように制限値を決定することで、補正中心の移動が知覚されやすい大きな傾斜のときに（信号の低下量が大きいときに）、補正中心の移動を抑制することができる。
【００５９】
なお、上記（変更点１）〜（変更点５）は、それぞれ、単独に適用してもよいし、また、組み合わせて適用してもよい。
［他の実施形態］
上記実施形態では、映像信号表示装置において、フレームでの処理を実行する場合について説明したが、映像信号表示装置において、フィールドでの処理を行うようにしてもよい。
また、上記実施形態で説明した映像信号表示装置において、各ブロックは、ＬＳＩなどの半導体装置により個別に１チップ化されてもよいし、一部または全部を含むように１チップ化されてもよい。
なお、ここでは、ＬＳＩとしたが、集積度の違いにより、ＩＣ、システムＬＳＩ、スーパーＬＳＩ、ウルトラＬＳＩと呼称されることもある。
【００６０】
また、集積回路化の手法はＬＳＩに限るものではなく、専用回路または汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
さらに、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてあり得る。
また、上記実施形態の各処理をハードウェアにより実現してもよいし、ソフトウェアにより実現してもよい。さらに、ソフトウェアおよびハードウェアの混在処理により実現してもよい。なお、上記実施形態に係る映像信号表示装置をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
【００６１】
なお、本発明の具体的な構成は、前述の実施形態に限られるものではなく、発明の要旨を逸脱しない範囲で種々の変更および修正が可能である。
【産業上の利用可能性】
【００６２】
本発明に係る映像信号表示装置、映像信号表示方法、プログラムおよび集積回路は、人の注視しやすい領域を中心として十分な明るさ感を得ることができ、かつ、消費電力を抑えることができるので、映像機器関連産業分野において有用であり、当該分野において実施することができる。
【符号の説明】
【００６３】
１０００、２０００  映像信号表示装置
１００、２００  映像信号処理部
１０１  色変換部
１０２  第１記憶部
１０３  第２記憶部
１０４  誘目点決定部
１０５  補正中心位置格納部
１０６  補正中心位置決定部
１０７  補正パラメータ生成部
１０８  補正部
１０９  色逆変換部
１１０  映像信号表示部
２０１  制限値決定部
【図１】
2009141980.tif 000010
【図２】
2009141980.tif 000011
【図３】
2009141980.tif 000012
【図４】
2009141980.tif 000013
【図５】
2009141980.tif 000014
【図６】
2009141980.tif 000015
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
複数の画像からなる動画像を表示する映像信号表示装置であって、
前記動画像を構成する１つの前記画像である現画像における誘目点を決定する誘目点決定部と、
前記現画像より過去の前記画像である過去画像の補正中心点の座標を保持する補正中心位置格納部と、
前記誘目点決定部により決定された前記誘目点と前記補正中心位置格納部に保持されている前記過去画像の前記補正中心点に基づいて、前記現画像における補正中心点を決定する補正中心位置決定部と、
前記現画像における補正中心点に基づいて補正パラメータを生成する補正パラメータ生成部と、
前記補正パラメータに基づいて前記現画像を補正する補正部と、
前記補正部により補正された画像を表示する表示部と、
を備え、
前記補正中心位置決定部は、前記過去画像の前記補正中心点と前記誘目点との間にあり、かつ、前記過去画像の補正中心点からの前記画像上の距離が制限値以下である前記画像上の点を、前記現画像における補正中心点とし、
前記補正中心位置格納部は、前記補正中心位置決定部により決定された前記現画像における補正中心点の座標を格納する、
映像信号表示装置。
【請求項２】
前記誘目点決定部は、前記現画像から所定の検出対象画像領域を検出し、検出した前記検出対象画像領域に基づいて誘目点を決定する、
請求項１に記載の映像信号表示装置。
【請求項３】
前記検出対象画像領域は、顔、あるいは顔の部分を含む画像領域である、
請求項２に記載の映像信号表示装置。
【請求項４】
前記検出対象画像領域は、文字を含む画像領域である、
請求項２に記載の映像信号表示装置。
【請求項５】
前記誘目点決定部は、前記検出対象画像領域が複数検出された場合、複数検出された前記検出対象画像領域に基づいて、前記誘目点を画像上の１点に決定する、
請求項２に記載の映像信号表示装置。
【請求項６】
前記誘目点決定部は、前記検出対象画像領域が複数検出された場合、複数検出された前記検出対象画像領域の大きさ、数、位置関係のうち、少なくとも一つに基づいて、前記誘目点を画像上の１点に決定する、
請求項５に記載の映像信号表示装置。
【請求項７】
前記誘目点決定部は、前記検出対象画像領域が検出されない場合、前記画像により構成される表示画面上の特定位置に相当する前記画像上の点を前記誘目点として決定する、
請求項１から６のいずれかに記載の映像信号表示装置。
【請求項８】
前記誘目点決定部は、前記画像により構成される表示画面の略中心に相当する前記画像上の点を前記誘目点の初期位置とする、
請求項７に記載の映像信号表示装置。
【請求項９】
前記補正中心位置決定部は、前記動画像が６０ｆｐｓ（ｆｒａｍｅ  ｐｅｒ  ｓｅｃｏｎｄ）の映像の場合、前記制限値を１ピクセル以上４ピクセル以下の固定値とする、
請求項１から８のいずれかに記載の映像信号表示装置。
【請求項１０】
前記現画像に基づいて、前記制限値を変化させる制限値決定部をさらに備える、
請求項１から８のいずれかに記載の映像信号表示装置。
【請求項１１】
前記制限値決定部は、シーンチェンジ情報に基づいて前記制限値を変化させる、
請求項１０に記載の映像信号表示装置。
【請求項１２】
前記制限値決定部は、前記過去画像における補正中心点と、前記現画像における前記誘目点との間の前記画像上の距離に従って、前記制限値を変化させる、
請求項１０に記載の映像信号表示装置。
【請求項１３】
前記制限値決定部は、前記画像により構成される表示画面上の前記誘目点の位置に従って、前記制限値を変化させる、
請求項１０に記載の映像信号表示装置。
【請求項１４】
前記制限値決定部は、前記画像により構成される表示画面において人の目が引きやすい程度を示す度合いである誘目度が大きい程、前記制限値を大きくする、
請求項１０に記載の映像信号表示装置。
【請求項１５】
前記誘目点決定部は、前記現画像から所定の検出対象画像領域を検出し、前記誘目度を、検出した前記検出対象画像領域の大きさ、数、前記画像上の位置、または、検出処理の確からしさのうち、少なくとも一つに基づいて算出し、
前記制限値決定部は、前記誘目点決定部が算出した前記誘目度に基づいて、前記制限値を変化させる、
請求項１４に記載の映像信号表示装置。
【請求項１６】
前記補正中心位置決定部は、前記補正パラメータ生成部において前記補正パラメータを生成するために用いられる補正強度によって、前記制限値を変化させる、
請求項１から８のいずれかに記載の映像信号表示装置。
【請求項１７】
複数の画像からなる動画像を表示する映像信号表示方法であって、
前記動画像を構成する１つの前記画像である現画像における誘目点を決定する誘目点決定ステップと、
前記現画像より過去の前記画像である過去画像の補正中心点の座標を取得する補正中心位置取得ステップと、
前記過去画像の前記補正中心点と前記誘目点との間にあり、かつ、前記過去画像の補正中心点からの前記画像上の距離が制限値以下である前記画像上の点を、前記現画像における補正中心点とすることで、前記現画像における補正中心点を決定する補正中心位置決定ステップと、
前記現画像における補正中心点に基づいて補正パラメータを生成する補正パラメータ生成ステップと、
前記補正パラメータに基づいて前記現画像を補正する補正ステップと、
前記補正ステップにより補正された画像を表示する表示ステップと、
を備える映像信号表示方法。
【請求項１８】
複数の画像からなる動画像を表示する映像信号表示させるコンピュータで実行可能なプログラムであって、
コンピュータに、
前記動画像を構成する１つの前記画像である現画像における誘目点を決定する誘目点決定ステップと、
前記現画像より過去の前記画像である過去画像の補正中心点の座標を取得する補正中心位置取得ステップと、
前記過去画像の前記補正中心点と前記誘目点との間にあり、かつ、前記過去画像の補正中心点からの前記画像上の距離が制限値以下である前記画像上の点を、前記現画像における補正中心点とすることで、前記現画像における補正中心点を決定する補正中心位置決定ステップと、
前記現画像における補正中心点に基づいて補正パラメータを生成する補正パラメータ生成ステップと、
前記補正パラメータに基づいて前記現画像を補正する補正ステップと、
前記補正ステップにより補正された画像を表示する表示ステップと、
を実行させるプログラム。
【請求項１９】
複数の画像からなる動画像を表示する映像信号表示装置に用いられる集積回路であって、
前記動画像を構成する１つの前記画像である現画像における誘目点を決定する誘目点決定部と、
前記現画像より過去の前記画像である過去画像の補正中心点の座標を保持する補正中心位置格納部と、
前記誘目点決定部により決定された前記誘目点と前記補正中心位置格納部に保持されている前記過去画像の前記補正中心点に基づいて、前記現画像における補正中心点を決定する補正中心位置決定部と、
前記現画像における補正中心点に基づいて補正パラメータを生成する補正パラメータ生成部と、
前記補正パラメータに基づいて前記現画像を補正する補正部と、
を備え、
前記補正中心位置決定部は、前記過去画像の前記補正中心点と前記誘目点との間にあり、かつ、前記過去画像の補正中心点からの前記画像上の距離が制限値以下である前記画像上の点を、前記現画像における補正中心点とし、
前記補正中心位置格納部は、前記補正中心位置決定部により決定された前記現画像における補正中心点の座標を格納する、
集積回路。
【手続補正２】
【補正対象書類名】明細書
【補正対象項目名】全文
【補正方法】変更
【補正の内容】
【発明の詳細な説明】
【技術分野】
【０００１】
本発明は、電子機器の消費電力を削減できるようにし、あるいは同じ消費電力における明るさ感を向上できるようにした映像信号表示装置およびその関連技術に関するものである。
【背景技術】
【０００２】
人は、映像信号（または画像信号）が表示されている表示装置の画面（表示画面）の中心部を注視する傾向が強いため、表示装置において、表示画面の画面中心部の明るさを維持しつつ、比較的注視しない表示画面の画面周辺部の明るさを低下させることで、表示画面の明るさ感を維持したまま、表示装置の消費電力を削減する手法が知られている。
その手法は、表示画面に対して、画面の略中心から周辺に向けて輝度が低下するように、入力映像信号を補正することで、省電力化を実現している。その手法の代表として特許文献１がある。
さらに、入力映像信号に応じて、輝度の低下程度を動的に制御し、さらなる省電力効果を得る手法として特許文献２および特許文献３がある。
また、省電力効果を狙ったものではないが、入力映像（画像）信号の状況に応じて、入力映像（画像）信号に対して適応的に補正を行う技術として、例えば、特許文献４に開示されている技術がある。特許文献４に開示されている技術は、入力映像（画像）信号により形成される画像データから人物の顔画像エリアを検出し、その検出結果に基づいて補正情報（補正強度等）を変えることにより、入力映像信号の内容（状況）に応じた補正処理を行うものである。
【０００３】
前記特許文献４の技術は、おもに静止画に対する処理についてものであるが、動画に対しても適用することができる。ただし、動画に対して特許文献４の技術を適用すると新たな課題が発生する。つまり、動画に対して特許文献４の技術を適用すると、通常、検出処理は完全ではないので検出率が１００％とならないことがほとんどである。そのため、動画に対して特許文献４の技術を適用した場合、ある対象を検出しようとした場合、検出しようとしている対象を検出できるフレームと検出できないフレームとが発生する。このような状態で、検出結果に応じて補正処理を行うと、補正処理にばらつきが生じる。その結果、特許文献４の技術により処理した動画は不安定なものとなり、例えば、フリッカ等が発生している動画になる。
この課題に対しては、例えば、特許文献５には、過去フレームの補正情報も用いて現在の補正情報（現フレームに適用させる補正情報）を算出することで、動画の不安定感を抑制する装置が開示されている。即ち、特許文献５に開示されている技術では、検出処理結果に応じた情報から補正情報を算出するだけでなく、過去フレームの補正情報からの変化を小さくするような処理を行うことで、フレーム間の補正のばらつきを抑制している。
【先行技術文献】
【特許文献】
【０００４】
【特許文献１】特開２００２−５５６７５号公報
【特許文献２】特開２００２−１１６７２８号公報
【特許文献３】特開２００２−７２９５１号公報
【特許文献４】特許第３７３３１６５号公報
【特許文献５】特開２００６−２６２０００号公報
【発明の概要】
【発明が解決しようとする課題】
【０００５】
しかしながら、上記従来技術では、検出の如何に従って補正情報（補正強度等）が変化（例えば、補正強度が増減）するため、大きな補正効果（適正な補正効果）を定常的には得ることができない。
本発明は、上記従来技術の課題を解決するもので、補正情報（補正強度等）を適正に保ちながら、動画におけるフレーム間の補正処理のばらつきにより処理画像上に発生する副作用を抑制しつつ、常に適切な補正処理を行うことができる映像信号表示装置、映像信号表示方法、プログラムおよび集積回路を実現することを目的とする。
【課題を解決するための手段】
【０００６】
第１の発明は、複数の画像からなる動画像を表示する映像信号表示装置であって、誘目点決定部と、補正中心位置格納部と、補正中心位置決定部と、補正パラメータ生成部と、補正部と、表示部と、を備える。誘目点決定部は、動画像を構成する１つの画像である現画像における誘目点を決定する。補正中心位置格納部は、現画像より過去の画像である過去画像の補正中心点の座標を保持する。補正中心位置決定部は、誘目点決定部により決定された誘目点と補正中心位置格納部に保持されている過去画像の補正中心点に基づいて、現画像における補正中心点を決定する。
補正パラメータ生成部は、現画像における補正中心点に基づいて補正パラメータを生成する。補正部は、補正パラメータに基づいて現画像を補正する。表示部は、補正部により補正された画像を表示する。そして、補正中心位置決定部は、過去画像の補正中心点と誘目点との間にあり、かつ、過去画像の補正中心点からの画像上の距離が制限値以下である画像上の点を、現画像における補正中心点とする。補正中心位置格納部は、補正中心位置決定部により決定された現画像における補正中心点の座標を格納する。
【０００７】
この映像信号表示装置では、誘目点と過去画像（例えば過去のフレーム画像）の補正中心との関係を考慮して現画像（例えば現フレーム画像）の補正中心を決定するため、画像間（例えば、フレーム間）の補正変動による急激な動画像の変動を抑制することができる。その結果、この映像信号表示装置では、フレーム間で急激に変動する動画像であっても適切な補正処理を行うことができ、常に適切な動画像を得ることができる。さらに、この映像信号表示装置では、人が注視しやすい画像領域については明るさ感を維持しつつ、それ以外の画像領域において明るさを低下させる（例えば、輝度を低下させる）ように制御することができるため、消費電力を低減させることができる。
なお、ここで、「現画像」とは、現在、映像信号表示装置において処理対象となっている画像のことで、例えば、現在のフレーム画像（現フレーム画像）がこれに相当する。また、「過去画像」とは、現画像より時間的に前の画像であり、例えば、現画像を現フレーム画像としたときの、１フレーム前のフレーム画像がこれに相当する。
【０００８】
第２の発明は、第１の発明であって、誘目点決定部は、現画像から所定の検出対象画像領域を検出し、検出した検出対象画像領域に基づいて誘目点を決定する。
これにより、人が注視しやすい検出対象画像領域に基づいた誘目点を決定することができる。
第３の発明は、第２の発明であって、検出対象画像領域は、顔、あるいは顔の部分を含む画像領域である。
これにより、人が注視しやすい検出対象画像領域である顔、あるいは顔の部分を含む画像領域に基づいた誘目点を決定することができる。その結果、この映像信号表示装置により補正処理された画像は、より適切な画像となり、かつ、消費電力も効果的に低減される。
【０００９】
第４の発明は、第２の発明であって、検出対象画像領域は、文字を含む画像領域である。
これにより、人が注視しやすい検出対象画像領域である文字（特に、人の目を引きやすいテロップ文字等）を含む画像領域に基づいた誘目点を決定することができる。その結果、この映像信号表示装置により補正処理された画像は、より適切な画像となり、かつ、消費電力も効果的に低減される。
第５の発明は、第２の発明であって、誘目点決定部は、検出対象画像領域が複数検出された場合、複数検出された検出対象画像領域に基づいて、誘目点を画像上の１点に決定する。
これにより、人が注視しやすい検出対象画像領域が複数検出された場合であっても誘目点を１つに決定することができるため、この映像信号表示装置により適切な補正処理を行うことができる。
【００１０】
第６の発明は、第５の発明であって、誘目点決定部は、検出対象画像領域が複数検出された場合、複数検出された検出対象画像領域の大きさ、数、位置関係のうち、少なくとも一つに基づいて、誘目点を画像上の１点に決定する。
これにより、複数の検出結果から誘目度の高い点１点を誘目点として決定することができる。
第７の発明は、第１から第６のいずれかの発明であって、誘目点決定部は、検出対象画像領域が検出されない場合、画像により構成される表示画面上の特定位置に相当する画像上の点を誘目点として決定する。
これにより、人が注視しやすい検出対象画像領域が検出されない場合であっても誘目点を決定することができるため、この映像信号表示装置により適切な補正処理を行うことができる。
【００１１】
第８の発明は、第７の発明であって、誘目点決定部は、画像により構成される表示画面の略中心に相当する画像上の点を誘目点の初期位置とする。
これにより、目を引く要素が検出されない場合も、一般に人の目を引きやすい画面略中心を中心とした補正効果を得ることができる。
第９の発明は、第１から第８のいずれかの発明であって、補正中心位置決定部は、動画像が６０ｆｐｓ（ｆｒａｍｅｐｅｒｓｅｃｏｎｄ）の映像の場合、制限値を１ピクセル以上４ピクセル以下の固定値とする。
これにより、より適切に、この映像信号表示装置による補正処理が実行することができる。特に、表示部で表示される画像サイズが４２インチ（対角線の長さ）であり、その解像度が横１０２４ピクセル縦７６８ピクセルである場合、この映像信号表示装置により表示される動画において、１フレームあたり４ピクセル以下のスピードで補正中心を移動させることで、補正中心の移動をほとんど目立たなくさせることができる。
【００１２】
第１０の発明は、第１から第８のいずれかの発明であって、現画像に基づいて、制限値を変化させる制限値決定部をさらに備える。
第１１の発明は、第１０の発明であって、制限値決定部は、シーンチェンジ情報に基づいて制限値を変化させる。
これにより、この映像信号表示装置において、例えば、補正のばらつきが目立たないシーンチェンジ時には、即座に補正中心を誘目点に移動させることができる。
第１２の発明は、第１０の発明であって、制限値決定部は、過去画像における補正中心点と、現画像における誘目点との間の画像上の距離に従って、制限値を変化させる。
これにより、この映像信号表示装置において、例えば、補正中心の移動に加速度（マイナスの加速度）（つまり、補正中心が誘目点に近づく程、補正中心の移動速度が遅くなる。）を持たせることが可能になり、補正対象の画面上位置が大きく移動した場合にも、速やかに追従することができる。
【００１３】
第１３の発明は、第１０の発明であって、制限値決定部は、画像により構成される表示画面上の誘目点の位置に従って、制限値を変化させる。
これにより、この映像信号表示装置において、例えば、画面略中心に向けての移動と、画面略中心からの移動とで、移動速度を変えることができ、顔検出処理等の検出率が悪い場合に、画面略中心を優先的に補正中心とすることができる。
第１４の発明は、第１０の発明であって、制限値決定部は、画像により構成される表示画面において人の目が引きやすい程度を示す度合いである誘目度が大きい程、制限値を大きくする。
これにより、目の引きやすさに応じて補正中心位置の移動速度を変化させることができる。
【００１４】
第１５の発明は、第１４の発明であって、誘目点決定部は、現画像から所定の検出対象画像領域を検出し、誘目度を、検出した検出対象画像領域の大きさ、数、画像上の位置、または、検出処理の確からしさのうち、少なくとも一つに基づいて算出する。制限値決定部は、誘目点決定部が算出した誘目度に基づいて、制限値を変化させる。
これにより、この映像信号表示装置において、例えば、目を引きやすい領域にはより速く補正中心位置を移動させることができる。つまり、この構成により、検出処理に基づいた誘目度に基づいた補正処理を行うことができる。
第１６の発明は、第１から第８のいずれかの発明であって、補正中心位置決定部は、補正パラメータ生成部において補正パラメータを生成するために用いられる補正強度によって、制限値を変化させる。
【００１５】
これにより、この映像信号表示装置において、例えば、補正中心の移動が知覚されやすい大きな傾斜のときに（信号の低下量が大きいときに）、補正中心の移動を抑制することができる。
また、これにより、動きが目立たない場合に補正中心の移動の速度を上げることができる。即ち、補正強度が小さい場合には補正中心の動きが目立たないため、補正中心位置を速く移動させ、また、補正強度が大きい場合には補正中心の動きが目立つため、補正中心位置をゆっくり移動させる、という制御ができる。
第１７の発明は、複数の画像からなる動画像を表示する映像信号表示方法であって、誘目点決定ステップと、補正中心位置取得ステップと、補正中心位置決定ステップと、補正パラメータ生成ステップと、補正ステップと、表示ステップと、を備える。
【００１６】
誘目点決定ステップでは、動画像を構成する１つの画像である現画像における誘目点を決定する。補正中心位置取得ステップでは、現画像より過去の画像である過去画像の補正中心点の座標を取得する。補正中心位置決定ステップでは、過去画像の補正中心点と誘目点との間にあり、かつ、過去画像の補正中心点からの画像上の距離が制限値以下である画像上の点を、現画像における補正中心点とすることで、現画像における補正中心点を決定する。補正パラメータ生成ステップでは、現画像における補正中心点に基づいて補正パラメータを生成する。補正ステップでは、補正パラメータに基づいて現画像を補正する。表示ステップでは、補正ステップにより補正された画像を表示する。
これにより、第１の発明と同様の効果を奏する映像信号表示方法を実現することができる。
【００１７】
第１８の発明は、複数の画像からなる動画像を表示する映像信号表示させるコンピュータで実行可能なプログラムである。このプログラムは、コンピュータに、誘目点決定ステップと、補正中心位置取得ステップと、補正中心位置決定ステップと、補正パラメータ生成ステップと、補正ステップと、表示ステップと、を実行させる。
誘目点決定ステップでは、動画像を構成する１つの画像である現画像における誘目点を決定する。補正中心位置取得ステップでは、現画像より過去の画像である過去画像の補正中心点の座標を取得する。補正中心位置決定ステップでは、過去画像の補正中心点と誘目点との間にあり、かつ、過去画像の補正中心点からの画像上の距離が制限値以下である画像上の点を、現画像における補正中心点とすることで、現画像における補正中心点を決定する。補正パラメータ生成ステップでは、現画像における補正中心点に基づいて補正パラメータを生成する。補正ステップでは、補正パラメータに基づいて現画像を補正する。表示ステップでは、補正ステップにより補正された画像を表示する。
【００１８】
これにより、第１の発明と同様の効果を奏するプログラムを実現することができる。
第１９の発明は、複数の画像からなる動画像を表示する映像信号表示装置に用いられる集積回路であって、誘目点決定部と、補正中心位置格納部と、補正中心位置決定部と、補正パラメータ生成部と、補正部と、を備える。誘目点決定部は、動画像を構成する１つの画像である現画像における誘目点を決定する。補正中心位置格納部は、現画像より過去の画像である過去画像の補正中心点の座標を保持する。補正中心位置決定部は、誘目点決定部により決定された誘目点と補正中心位置格納部に保持されている過去画像の補正中心点に基づいて、現画像における補正中心点を決定する。補正パラメータ生成部は、現画像における補正中心点に基づいて補正パラメータを生成する。補正部は、補正パラメータに基づいて現画像を補正する。そして、補正中心位置決定部は、過去画像の補正中心点と誘目点との間にあり、かつ、過去画像の補正中心点からの画像上の距離が制限値以下である画像上の点を、現画像における補正中心点とする。補正中心位置格納部は、補正中心位置決定部により決定された現画像における補正中心点の座標を格納する。
【００１９】
これにより、第１の発明と同様の効果を奏する集積回路を実現することができる。
【発明の効果】
【００２０】
本発明によれば、補正情報（補正強度等）を適正に保ちながら、動画におけるフレーム間の補正処理のばらつきにより処理画像上に発生する副作用を抑制しつつ、常に適切な補正処理を行うことができる映像信号表示装置、映像信号表示方法、プログラムおよび集積回路を実現することができる。即ち、本発明によれば、省電力効果を保ちながら、動画の不安定感（フリッカ等）の発生を効果的に抑制することができる映像信号表示装置、映像信号表示方法、プログラムおよび集積回路を実現できる。
【図面の簡単な説明】
【００２１】
【図１】本発明の第１実施形態における映像信号表示装置１０００の構成を示すブロック図
【図２】（ａ）Ｎ番目のフレームにおける誘目点と補正中心点を示した表示画面の模式図。（ｂ）Ｎ＋１番目の誘目点と補正中心点を示した表示画面の模式図。（ｃ）制限値による補正中心点位置制限を説明するための説明図。（ｄ）Ｎ＋２番目のフレームにおける誘目点と補正中心点を示した表示画面の模式図。（ｅ）Ｎ＋３番目の誘目点と補正中心点を示した表示画面の模式図。（ｆ）Ｎ番目のフレームからＮ＋３番目のフレームまでの補正中心点の移動経路を示した説明図。
【図３】Ｙ成分の映像信号IｎＹにより形成される表示画面を示した模式図。
【図４】補正傾斜ゲインを説明するための図。
【図５】本発明の第２実施形態における映像信号表示装置２０００の構成を示すブロック図。
【図６】制限値の制御例を示した説明図
【発明を実施するための形態】
【００２２】
以下本発明の実施の形態について、図面を参照しながら説明する。
［第１実施形態］
＜１．１：映像信号表示装置の構成＞
図１は、本発明の第１実施形態における映像信号表示装置１０００のブロック図である。
本実施形態の映像信号表示装置１０００は、主として、映像信号処理部１００と、映像信号表示部１１０とをから構成される。
映像信号処理部１００は、入力映像信号を映像変換し、出力映像信号を出力するもので、入力映像信号に対して色空間の変換を行う色変換部１０１と、色変換部１０１により変換された明るさ成分の映像信号を記憶する第１記憶部１０２と、色変換部１０１により変換された明るさ成分でない成分の映像信号を記憶する第２記憶部１０３と、を備える。また、映像信号処理部１００は、第１記憶部１０２から出力される映像信号を解析し誘目点を決定する誘目点決定部１０４と、過去のフレームにおける補正中心位置の座標情報を格納する補正中心位置格納部１０５と、補正中心位置格納部１０５および誘目点決定部１０４からの出力に基づいて補正中心位置を決定する補正中心位置決定部１０６と、を備える。さらに、映像信号処理部１００は、補正中心位置決定部１０６からの出力に基づいて補正パラメータを生成する補正パラメータ生成部１０７と、補正パラメータ生成部１０７により生成された補正パラメータにより第１記憶部１０２から出力される映像信号の補正を行う補正部１０８と、補正部１０８により補正された映像信号（明るさ成分の映像信号）と第２記憶部１０３から出力される映像信号（明るさ成分でない成分の映像信号）とを色逆変換することで出力映像信号を取得する色逆変換部１０９と、を備える。
【００２３】
映像信号表示部１１０は、映像信号処理部１００から出力された出力映像信号を表示画面に表示する。
以下、各構成要素について説明する。
色変換部１０１は、入力映像信号のＲＧＢ色空間をＹｕｖ色空間に変換する。具体的には、入力映像信号のＲ成分映像信号、Ｇ成分映像信号およびＢ成分映像信号から、明るさ成分の映像信号ＩｎＹ（Ｙ成分の映像信号）と、明るさ成分でない成分の映像信号ｕ（ｕ成分の映像信号）および映像信号ｖ（ｖ成分の映像信号）と、に変換する。そして、色変換部は、変換したＹ成分の映像信号ＩｎＹを第１記憶部１０２に出力し、ｕ成分の映像信号ｕおよびｖ成分の映像信号ｖを第２記憶部１０３に出力する。なお、入力映像信号は、ＲＧＢ色空間で表現されるものに限定されるものではない。また、色変換部１０１が変換する色空間もＹｕｖ色空間に限定されるものでもないのは言うまでもない。以下においては、説明便宜のため、入力映像信号がＲＧＢ色空間で表現される信号であり、入力映像信号が色変換部によりＹｕｖ色空間に変換されるものとして説明する。
【００２４】
第１記憶部１０２は、色変換部１０１から出力される明るさ成分（即ち、Ｙ成分の映像信号ＩｎＹ）を１フレーム分記憶し、記憶したＹ成分の映像信号ＩｎＹを所定のタイミングで補正部１０８および誘目点決定部１０４に出力する。なお、第１記憶部は、例えば、１フレーム分の映像信号を記憶することができるメモリ（フレームメモリ等）により実現することができる。
第２記憶部１０３は、色変換部１０１から出力される明るさ成分でない成分（即ち、ｕ成分の映像信号ｕおよびｖ成分の映像信号ｖ）を１フレーム分記憶し、記憶したｕ成分の映像信号およびｖ成分の映像信号を所定のタイミングで色逆変換部１０９に出力する。第２記憶部１０３は、色逆変換部１０９において、正しく色逆変換されるタイミングで、ｕ成分の映像信号およびｖ成分の映像信号を出力する。例えば、映像信号が形成する画像（映像）上の任意の画素位置をｐ１（ｘ、ｙ）とし、画素位置ｐ１（ｘ、ｙ）に対応する補正部１０８から出力されるＹ成分の映像信号をＯｕｔＹ（ｘ、ｙ）とし、第２記憶部１０３から出力される画素位置ｐ１（ｘ、ｙ）に対応するｕ成分の映像信号およびｖ成分の映像信号を、それぞれ、Ｏｕｔｕ（ｘ、ｙ）およびＯｕｔｖ（ｘ、ｙ）とし、画素位置ｐ１（ｘ、ｙ）に対応する色逆変換部１０９から出力される出力映像信号をＯｕｔＲＧＢ（ｘ、ｙ）とする。このとき、出力映像信号Ｏｕｔ（ｘ、ｙ）が、ＯｕｔＹ（ｘ、ｙ）、Ｏｕｔｕ（ｘ、ｙ）およびＯｕｔｖ（ｘ、ｙ）とから色逆変換により生成されるように、第２記憶部１０３は、第２記憶部１０３から出力されるｕ成分の映像信号およびｖ成分の映像信号の出力タイミングを調節する。
【００２５】
誘目点決定部１０４は、第１記憶部１０２から出力されるＹ成分の映像信号を入力とし、そのＹ成分の映像信号を解析し誘目点を決定する。そして、決定した誘目点の位置情報（例えば、映像信号により形成される１枚の画像上の座標を示す情報）を補正中心位置決定部１０６に出力する。
ここで誘目点とは、映像信号が形成する画像（映像）において、人の目を引きやすい（入力）映像信号が形成する画像上の点（または領域）である。つまり、誘目点とは、映像信号が形成する画像を表示装置に表示させたとき、その表示画面において人の目を引きやすい表示画面上の点（または領域）である。例えば、顔を含む映像信号を表示装置の表示画面に表示した場合、表示画面上の顔の部分は、人の目を引きやすい。このため、誘目点決定部１０４は、誘目点決定部１０４に入力されたＹ成分の映像信号に対して顔検出処理を行い、顔が検出された場合、その検出された領域（映像信号が形成する画像上における顔の部分であると検出した画像領域）の中心を誘目点とする。また、誘目点決定部１０４は、顔を検出することができなかった場合、一般的に人の目を引きやすい表示画面略中心（映像信号が形成する１枚の画像上の中心点）を誘目点とする。
【００２６】
なお、誘目点決定部１０４は、必ずしも、検出対象を顔として誘目点の検出・決定する必要はなく、例えば、テロップ文字、画面上静止オブジェクト（動きベクトルより解析）等を検出対象とし、誘目点を決定するようにしてもよい。また、検出対象の検出処理の具体的方法は周知のもので差し支えないので、詳細な説明は省略する。
補正中心位置格納部１０５は、過去フレームにおける補正中心位置の座標情報（映像信号により形成される１枚の画像上の座標についての情報）を格納する。これは、後述する補正中心位置決定部１０６により出力される補正中心位置に関する情報（例えば、補正中心位置座標を示す情報）を格納しておくものである。
補正中心位置決定部１０６は、誘目点決定部１０４により決定された誘目点の位置情報と、補正中心位置格納部１０５に格納された過去フレームにおける補正中心位置の情報とを入力とし、誘目点決定部１０４により決定された誘目点の位置情報と、補正中心位置格納部１０５に格納された過去フレームにおける補正中心位置の情報とから、現フレームにおける補正中心位置を決定する。そして、補正中心位置決定部１０６は、決定した現フレームにおける補正中心位置に関する情報（例えば、補正中心位置座標を示す情報）を補正中心位置格納部１０５および補正パラメータ生成部１０７に出力する。
【００２７】
補正パラメータ生成部１０７は、補正中心位置決定部１０６により決定された補正中心位置に関する情報を入力とし、補正中心位置決定部１０６により決定された補正中心位置に関する情報に基づいて補正パラメータを生成する。そして、補正パラメータ生成部１０７は、生成した補正パラメータを補正部１０８に出力する。
補正部１０８は、補正パラメータ生成部１０７が設定（生成）した補正パラメータおよび第１記憶部１０２から出力されるＹ成分の映像信号ＩｎＹを入力とし、補正パラメータ生成部１０７が設定（生成）した補正パラメータに基づいて、第１記憶部１０２から出力されるＹ成分の映像信号ＩｎＹを補正する。そして、補正部１０８は、補正した映像信号ＩｎＹを色逆変換部１０９に出力する。
色逆変換部１０９は、Ｙｕｖ色空間の出力映像信号ＯｕｔＹをＲＧＢ色空間へ逆変換する。つまり、色逆変換部１０９は、補正部１０８から出力されるＹ成分の映像信号ＩｎＹと、第２記憶部１０３から出力されるｕ成分の映像信号ｕおよびｖ成分の映像信号ｖと、を入力とし、補正部１０８から出力されるＹ成分の映像信号ＩｎＹと、第２記憶部１０３から出力されるｕ成分の映像信号ｕおよびｖ成分の映像信号ｖと、に対して色空間変換処理（Ｙｕｖ色空間からＲＧＢ色空間への変換処理）を行う。そして、出力映像信号ＯｕｔＲＧＢを取得し、取得した出力映像信号ＯｕｔＲＧＢを映像信号表示部１１０に出力する。
【００２８】
なお、本実施形態では、入力映像信号と出力映像信号とは、いずれもＲＧＢ色空間で表現され、映像信号処理部１００の内部処理はＹｕｖ色空間で行われることにしている。しかしながら、映像信号処理部１００の内部処理で使用される明るさ成分の映像信号は、ＹＣｂＣｒ色空間の明るさ成分（Ｙ）等種々の明るさ成分の映像信号であってもよい。また、色空間の変換が必要なければ、色変換部１０１あるいは色逆変換部１０９は省略できる。なお、色変換部１０１あるいは色逆変換部１０９が使用する色空間変換のための変換式は、周知のもので差し支えなく、本発明は色変換／色逆変換を骨子とするものではないから、詳細な説明は省略する。
映像信号表示部１１０は、色逆変換部１０９から出力される出力映像信号ＯｕｔＲＧＢを入力とし、出力映像信号ＯｕｔＲＧＢにより形成される映像を表示する。映像信号表示部１１０は、自ら光を発する自発光型で、調光可能な表示画面を有し、出力映像信号に応じて、位置ｉ（出力映像信号により形成される画像上の位置ｉ）ごとに光量を調節することができる。映像信号表示部１１０の代表例として、２枚のガラスの間にヘリウムやネオンなどの高圧のガスを封入し、そこに電圧をかけることによって発光させるプラズマディスプレイ、電圧をかけると発光する有機物質を利用した有機ＥＬ、電子銃を利用したＣＲＴ（Ｃａｔｈｏｄｅ  Ｒａｙ  Ｔｕｂｅ）、および平面状の電子放出源（エミッター）から真空中に電子を放ち、蛍光体にぶつけて発光させるＦＥＤ（Ｆｉｅｌｄ  Ｅｍｉｓｓｉｏｎ  Ｄｉｓｐｌａｙ）がある。
【００２９】
＜１．２：映像信号表示装置の動作＞
以上のように構成された映像信号表示装置の動作について、以下説明する。
入力映像信号は、色変換部１０１により、ＲＧＢ色空間の映像信号からＹｕｖ色空間の映像信号であるＹ成分の映像信号ＩｎＹと、ｕ成分の映像信号ｕおよびｖ成分の映像信号ｖと、に変換される。色変換部１０１により変換されたＹ成分の映像信号ＩｎＹは、第１記憶部１０２に出力され、第１記憶部１０２で記憶される。一方、色変換部１０１により変換されたｕ成分の映像信号ｕおよびｖ成分の映像信号ｖは第２記憶部１０３に出力され、第２記憶部１０３で記憶される。
第１記憶部１０２に記憶されたＹ成分の映像信号IｎＹは、誘目点決定部１０４に出力される。
【００３０】
誘目点決定部１０４では、第１記憶部１０２に記憶されたＹ成分の映像信号IｎＹを解析することで、第１記憶部１０２に記憶されたＹ成分の映像信号IｎＹから誘目点を決定する。そして、決定された誘目点の位置情報（例えば、映像信号により形成される１枚の画像上の座標を示す情報）は、補正中心位置決定部１０６に出力される。
誘目点決定部１０４は、例えば、次のようにして、Ｙ成分の映像信号IｎＹを解析し、誘目点を決定する。
（ａ１）Ｙ成分の映像信号IｎＹにより形成される画像において、人間の顔あるいは人間の顔のパーツを含む部分を検出し、この検出した領域の中心点（例えば、画像領域の重心点）を誘目点に決定する。
（ａ２）Ｙ成分の映像信号IｎＹにより形成される画像において、文字を含む部分を検出し、この検出した領域の中心点（例えば、画像領域の重心点）を誘目点に決定する。
【００３１】
（ａ３）上記（ａ１）および（ａ２）において、誘目点が決定できなかった場合、Ｙ成分の映像信号IｎＹにより形成される画像（即ち表示画面に相当）の特定位置（例えば、表示画面の中央の位置）を誘目点に決定する。
このようにして、誘目点決定部１０４により、誘目点が決定される。
なお、誘目点決定部１０４は、上記（ａ１）および（ａ２）に相当する領域が複数検出された場合、それらの検出結果をもとに誘目点を１点に決定する。誘目点決定部１０４は、検出画像領域の大きさ、数、位置関係のうち、少なくとも１つに基づいて誘目点を決定する。
例えば、誘目点決定部１０４は、以下のようにして、誘目点を決定する。
（ｂ１）検出した画像領域のうち、一番大きな画像領域に基づいて誘目点を決定する（例えば、一番大きな画像領域の中心点（重心点）を誘目点に決定する）。
【００３２】
（ｂ２）検出した画像領域の数が所定の値ｔｈ以上である場合、全画像領域の所定の位置（例えば画像の中心点（表示画面の中心点に相当））を誘目点に決定する。
（ｂ３）検出した複数の画像領域の位置が密集している場合、その複数の画像領域により形成される画像領域の中心点を誘目点に決定する。
（ｂ４）検出した複数の画像領域の位置が密集していない場合、全画像領域の所定の位置（例えば画像の中心点（表示画面の中心点に相当））を誘目点に決定する。
なお、上記（ｂ３）および（ｂ４）における検出した複数の画像領域の位置が密集しているか否かについては、例えば次のようにして決定する。これについて、図３を用いて説明する。
図３（ａ）、（ｂ）は、Ｙ成分の映像信号IｎＹにより形成される表示画面を示した模式図である。
【００３３】
誘目点決定部１０４は、図３で示される表示画面（Ｙ成分の映像信号IｎＹにより形成される画像）を、図３に示すように、領域Ａ〜Ｄに４分割し、それぞれの分割領域において、上記（ａ１）および（ａ２）で説明した領域を検出する。ここでは、人の顔の画像領域を検出している。
図３（ａ）では、領域Ａにおいて、５つの人の顔の画像領域を検出しており、領域Ｂ〜Ｄにおいては、上記（ａ１）および（ａ２）で説明した検出画像領域の数は「０」である。したがって、この場合、領域Ａにおいて、誘目点決定部１０４は、検出した複数の画像領域の位置が密集していると判断する。そして、誘目点決定部１０４は、領域Ａの５つの顔を形成している画像領域の中心点ＹＰ１を誘目点に決定する。
なお、ここでは、４分割した領域において、所定数ｔｈ（＝２）以上の検出領域が存在する場合、誘目点決定部１０４は、検出した複数の画像領域の位置が密集していると判断するようにしているが、ｔｈ＝２でなくてもよいことは言うまでもない。
【００３４】
また、図３（ｂ）では、領域Ａ〜Ｄのそれぞれの領域において１つずつ検出画像領域が存在しているので（いずれの領域においても所定数ｔｈ（＝２）以上の検出画像領域が検出されていないので）、誘目点決定部１０４は、検出した複数の画像領域の位置が密集していないと判断する。そして、この場合、誘目点決定部１０４は、上記（ｂ４）の通り、全画像領域（図３の１表示画面に相当）の所定の位置である表示画面の中心点ＹＰ２を誘目点に決定する。なお、この場合の誘目点は、厳密に表示画面の中心点でなくてもよく、表示画面の中心付近の点であってもよいことは言うまでもない。
また、上記では、画面を４分割する場合について説明したが、画面の分割数はこれに限定されることはなく、他の分割数でもよい。
以上のようにして決定された誘目点の位置情報は、補正中心位置決定部１０６に出力される。
【００３５】
補正中心位置決定部１０６では、誘目点決定部１０４により決定された誘目点の位置情報と、補正中心位置格納部１０５に格納された過去フレームにおける補正中心位置の情報と、から現フレームにおける補正中心位置が決定される。
これについて、以下詳細に説明する。
本実施形態では、現フレームの補正中心位置が１フレーム前の補正中心点と現フレームの誘目点との間にあり、かつ、現フレームの補正中心位置と１フレーム前の補正中心点座標との間の距離が、制限値以下となるように、現フレームの補正中心位置を決定する場合について、図２を用いて、詳細に説明する。
図２は、映像信号により形成される映像を表示装置に表示した場合の表示画面の模式図である。
【００３６】
図２（ａ）は、顔を中心として補正がかかっていることを示した図であり、図２（ａ）中の黒点「●」は、補正中心ＨＣを示しており、図２（ａ）中のバツ印「×」を付した点は、誘目点ＹＰを示している。そして、図２（ａ）では、補正中心ＨＣを中心として同心円状に補正がかかっている状態を示している（図２（ａ）の同心円上の点における補正処理の程度（補正強度）が同等であることを示している）。なお、図２（ａ）中の同心円は実際の表示画面において表示されているものではなく、説明のために、描いているものである（図２（ｂ）、（ｄ）、（ｅ）および（ｆ）においても同様）。
図２（ｂ）は、図２（ａ）のフレーム（以下、図２（ａ）のフレームを「Ｎ番目のフレーム」という。）の次のフレーム（以下、このフレームを「Ｎ＋１番目のフレーム」という。）において、顔位置が変化した場合の図である。以下、説明便宜のために、Ｎ番目のフレームの補正中心ＨＣの位置を「ＨＣ（Ｎ）」と表記し、Ｎ番目のフレームの誘目点ＹＰの位置を「ＹＰ（Ｎ）」と表記する。
【００３７】
図２（ｂ）において、誘目点ＹＰの位置は顔の位置であるが、補正中心ＨＣの位置は制限値によって調整する。
つまり、１フレーム前のフレームであるＮ番目のフレーム（図２（ａ））における補正中心ＨＣ（Ｎ）と、現フレームであるＮ＋１番目のフレーム（図２（ｂ））における誘目点ＹＰ（Ｎ＋１）との間の距離をｒとし、制限値をＬｉｍ＿ｒとすると、補正中心位置決定部１０６は、
（１）ｒ＜＝Ｌｉｍ＿ｒならば、現フレームの補正中心ＨＣ（Ｎ＋１）を、誘目点ＹＰ（Ｎ＋１）の位置に決定する。
（２）また、ｒ＞Ｌｉｍ＿ｒならば、現フレームの補正中心ＨＣ（Ｎ＋１）を、１フレーム前の補正中心点ＨＣ（Ｎ）と現フレームの誘目点ＹＰ（Ｎ＋１）との間で、かつ、１フレーム前の補正中心ＨＣ（Ｎ）からＬｉｍ＿ｒだけ離れた位置に決定する。
【００３８】
図２（ｃ）を用いて説明すると、白丸「○」で示した点は、１フレーム前の補正中心ＨＣ（Ｎ）（図２（ａ）の補正中心）であり、バツ印「×」で示した点は、現フレームの誘目点ＹＰ（Ｎ＋１）（図２（ｂ）の誘目点）を示している。ｒ＞Ｌｉｍ＿ｒである場合、補正中心位置決定部１０６により、現フレームの補正中心位置ＨＣ（Ｎ＋１）（「●」で示した点）は、１フレーム前の補正中心ＨＣ（Ｎ）（「○」で示した点）からＬｉｍ＿ｒだけ離れた位置に決定される。
図２（ｄ）は、図２（ｂ）の次のフレーム（Ｎ＋２番目のフレーム）、図２（ｅ）はさらに次のフレーム（Ｎ＋３番目のフレーム）での、補正中心位置ＨＣを示した図である。ここでは、図２（ａ）、（ｂ）、（ｄ）、（ｅ）の４フレームかけて、補正中心位置ＨＣは、誘目点ＹＰまで到達することになる（図２（ｆ）参照）。
【００３９】
制限値が大きい場合、過去フレームの補正中心から現フレームの補正中心までの距離が長くなり、逆に、制限値が小さい場合、それが短くなる。即ち、補正中心位置が表示画面上を誘目点まで移動するとみれば、制限値が大きいとその移動スピードが速く、小さければ移動スピードが遅いといえる。
本発明者らが実験的に確認したところ、解像度が横１０２４ピクセル縦７６８ピクセルの４２インチプラズマディスプレイでは、６０ｆｐｓ（ｆｒａｍｅ  ｐｅｒ  ｓｅｃｏｎｄ）の映像で１フレームあたり４ピクセル以下のスピードで補正中心を移動させれば、補正中心の移動は目立たないことが分かった（つまり、人間の視覚特性上、補正中心の移動が認識できないため、表示画面を見ている者が違和感を抱くことがほとんどないことが分かった）。そこで、本実施形態では前記制限値を４ピクセルの固定値とする。なお、この値が好ましいが、他の値にしても本発明の効果を奏することができることは言うまでもない。
【００４０】
なお、制限値は、ユーザがメニュー画面等で選択することにより入力できるようにしてもよいし、入力映像のジャンル（映画、スポーツ、ニュース等）により切り替えられるようにしてもよい。
また、本実施形態では、過去フレームの補正中心位置と現フレームの補正中心位置との直線距離に対して制限値を与えているが、水平方向、垂直方向に分けて制限値を与えてもよい。
以上のようにして、補正中心位置決定部１０６により決定された補正中心位置の座標情報は、補正中心位置格納部１０５および補正パラメータ生成部１０７に出力される。
補正中心位置格納部１０５は、補正中心位置決定部１０６により決定された現フレームの補正中心位置の座標情報を記憶し、この現フレームの補正中心位置の座標情報を、次のフレームの処理において、過去フレームにおける補正中心位置の座標情報として補正中心位置決定部１０６に出力する。
【００４１】
なお、本実施形態では、格納しておく座標情報は１フレーム分とした場合を例に説明するが、複数フレーム分の情報を格納してもよい。その場合は、過去数フレームにわたる中心位置の移動履歴情報が得られるため、後述の補正中心位置決定部１０６では、その移動履歴に沿った補正中心位置の制御が可能になる。
補正パラメータ生成部１０７では、補正中心位置決定部１０６により決定された現フレームの補正中心位置の座標情報から、補正パラメータが生成される。即ち、表示画面内のある点ｐと、補正中心位置ＨＣとの距離に基づき、補正中心位置ＨＣから周辺に向けて表示画面の輝度を低下させるような信号へ補正するための補正パラメータである補正傾斜ゲインが、補正パラメータ生成部１０７により生成する。
ここで、「補正傾斜ゲイン」とは、映像信号が形成する画像（映像）の各画素において、信号値（各画素の画素値に相当。）を低下させる割合を示す。入力信号値に、この補正傾斜ゲインを乗算した値が、該画素の信号値を低下させる量となる。
【００４２】
図４を用いて、より詳細に説明する。
図４（ａ）は、映像信号表示装置１０００の表示画面を表し、同じ補正傾斜ゲイン値が与えられる画素を線で結ぶことで等高線を形成したものである。各等高線上の数値（図４（ａ）において矢印で示している数値）は、補正傾斜ゲインによる信号値の低下度合い（＝出力信号値／入力信号値）を示している。つまり、図４（ａ）は、補正中心をＱ点としたときの補正中心Ｑから表示画面の周辺に向けて、輝度が低下している様子を示した空間形状の図である。なお、図４では、補正中心Ｑから、滑らかに補正傾斜ゲインを変化させるために、ガウス関数を用いている。
図４（ｂ）は、正規化された距離と、正規化後のガウス関数の値との関係を示している。図４（ｂ）において、横軸は正規化された距離であり、縦軸は正規化されたガウス関数の値である。この波形に基づいて、各画素における補正傾斜ゲイン値を決定する。
【００４３】
なお、正規化された距離とは、画面中央と画面隅の距離で正規化された距離であって、
【００４４】
【数１】
2009141980.tif 000016
である。ｒｐｑがｒ＿ｍａｘより大きい場合は、ｒｐｑをｒ＿ｍａｘで飽和させる。
また、距離ｒｐｑとは、表示画面上のある画素ｐと補正中心Ｑの座標（ｘｑ，ｙｑ）から求めるスカラー量であり、ここでは、（数式２）で表された単純な距離とするが、これに限定される必要はなく、例えば、特許文献２に記載の楕円空間や矩形空間での距離としてもよい。
【００４５】
【数２】
2009141980.tif 000017
ここで、（ｘｐ，ｙｐ）をある画素ｐの座標とし、（ｘｑ，ｙｑ）を補正中心点Ｑの座標とする。
また、正規化されたガウス関数とは、
【００４６】
【数３】
2009141980.tif 000018
である。
なお、ｇａｕｓｓは、ガウス関数を表しており、
【００４７】
【数４】
2009141980.tif 000019
である。ここで、ｅｘｐは指数とする。また、σは定数（＝０．３５）であり、ガウス関数の波形形状を規定する。
図４（ｃ）に、距離ｒｐｑと補正傾斜ゲインとの関係を示す。図４（ｃ）の横軸においては、補正中心Ｑを原点としている。
ある画素ｐにおける補正傾斜ゲインｇａｉｎｐは、距離から求められるスカラー量であり、ここでは、人が輝度の低下を検知し難いように、補正傾斜ゲインが滑らかに変化するガウス関数を用いた（数式５）により、補正傾斜ゲインを算出する。
【００４８】
【数５】
2009141980.tif 000020
ここで、Ｋは０〜１の定数（実数）であり、最大信号低下率（＝最大信号低下量／最大信号値）である。ここで、最大信号値とは、信号の取りうる最大の値で、８ビットのデータならば「２５５」がこれに当たる。また、最大信号低下量とは、該補正により最大信号値から低下する量（低下する信号値の量）の最大の値である。例えば、図４（ｃ）に示したＳ点（補正中心Ｑから最も距離の大きい点）での信号低下量がこれに該当する（補正中心Ｑから最も距離の大きい点では、最も信号値が低下する（信号値が最小値をとる））。
なお、最大信号低下率Ｋを設定することは、全体補正強度を設定することに相当する。ここで「全体補正強度」とは、画面全体の補正量の概略を示す値である。Ｋを大きく設定すれば最大信号低下量が大きくなり、画面全体の補正量が大きくなる（画面全体での発光低下量が大きくなる）。また、Ｋを小さく設定すれば最大信号低下量が小さくなり、画面全体の補正量が小さくなる（画面全体での発光低下量が小さくなる）。
【００４９】
なお、最大信号低下率Ｋは入力信号に応じて変化させてもよい。例えば、特願２００７−０１２２１４号に開示の技術のように、発光量低下が検知されないように調整することが望ましい。
以上により、ある点ｐに対する傾斜ゲインｇａｉｎｐを生成することができる。同様に全ての点（全ての画素に対応する点）に対して、傾斜ゲインを生成する。
以上のようにして、補正パラメータ生成部１０７により生成された補正パラメータは、補正部１０８に出力される。
第１記憶部１０２から出力されるＹ成分の映像信号ＩｎＹは、補正部１０８により、補正パラメータ生成部１０７により生成された補正パラメータに基づいて補正される。
例えば、補正部１０８に入力されるＹ成分の映像信号ＩｎＹの信号レベル（入力信号レベル）と補正パラメータとの積で、入力信号レベルに対する低下量を求め、その低下量を入力映像信号ＩｎＹから減算し、出力映像信号ＯｕｔＹの信号レベルを得る。つまり、（数６）で表される処理を行うことで、補正部１０８により補正後のＹ成分の映像信号ＯｕｔＹが取得される。
【００５０】
【数６】
2009141980.tif 000021
なお、ここで、映像信号が形成する画像（映像）の画素ｐにおける入力信号および出力信号をそれぞれ、ＩｎＹ＿ｐ、ＯｕｔＹ＿ｐと表記する。
これにより、ある点（画素）Ｐに対する出力信号値を得る。また、同様に全ての点（画素）に対して出力信号値を得ることで、１フレーム分の映像信号を取得（補正）することができる。
このようにして、補正部１０８により補正されたＹ成分の映像信号ＯｕｔＹは、色逆変換部１０９に出力される。
補正されたＹ成分の映像信号ＯｕｔＹと、第２記憶部１０３から出力されたｕ成分の映像信号ｕおよびｖ成分の映像信号ｖとは、色逆変換部１０９により、色空間逆変換（Ｙｕｖ色空間からＲＧＢ色空間への色空間変換）処理が実行され、出力映像信号ＯｕｔＲＧＢに変換される。そして、色逆変換部１０９により処理された出力映像信号ＯｕｔＲＧＢは、映像信号表示部１１０に出力される。
【００５１】
色逆変換部１０９から出力された出力映像信号ＯｕｔＲＧＢは、映像信号表示部１１０おいて映像として表示される。
以上の通り、映像信号表示装置１０００によれば、入力映像信号のうち人が注視しやすい領域の明るさ感を維持しつつ、消費電力を削減することができる。さらに、人が注視しやすい領域が表示画面上で大きく場所を変えた場合にも、画面全体の補正量（ここでは画面全体での信号低下量）を大きく変えることなく効果を維持することができる。また、映像信号表示装置１０００では、誘目点と過去フレームの補正中心との関係を考慮して現フレームの補正中心を決定するため、フレーム間の補正変動による急激な動画像の変動を抑制することができる。その結果、映像信号表示装置１０００では、フレーム間で急激に変動する動画像であっても適切な補正処理を行うことができ、常に適切な動画像を得ることができる。
【００５２】
［第２実施形態］
次に、本発明の第２実施形態について説明する。
図５は、本発明の第２実施形態に係る映像信号表示装置２０００のブロック図である。
図５において、第１実施形態に係る映像信号表示装置１０００と同じ構成要素については同じ符号を用い、説明を省略する。
本実施形態に係る映像信号表示装置２０００は、図５に示すように、第１実施形態に係る映像信号表示装置１０００の構成に、さらに、制限値決定部２０１を備えている点が、第１実施形態に係る映像信号表示装置１０００とは相違する。即ち、映像信号表示装置２０００では、制限値が固定値ではなく、変数（変動する値）となる点が、映像信号表示装置１０００との相違点となる。
【００５３】
制限値決定部２０１は、第１記憶部１０２から出力されるＹ成分の映像信号ＩｎＹを入力とし、Ｙ成分の映像信号ＩｎＹから制限値を決定し、決定した制限値を補正中心位置決定部１０６に出力する。
制限値決定部２０１は、制限値決定部２０１に入力されるＹ成分の映像信号ＩｎＹに応じて制限値を決定する。即ち、制限値決定部２０１は、制限値決定部２０１に入力されるＹ成分の映像信号ＩｎＹからシーンチェンジ検出を行い、シーンチェンジ時であると判定した場合には制限値を大きくする。ここで「シーンチェンジ」とは、場面が転換するフレームのことである。シーンチェンジでは映像が大きく変化するため（つまり、現フレームの映像（画像）と１フレーム前のフレームの映像（画像）とが大きく異なるため）、補正のばらつきが目立たない。
【００５４】
したがって、補正のばらつきが目立たないシーンチェンジ時には、即座に補正中心を誘目点に移動させることができる。
また、制限値決定部２０１での制限値の決定方法については、次のように変更できる。
（変更点１）
上記では、制限値決定部２０１は、シーンチェンジ情報に従って制限値を決定する場合について説明したが、入力映像信号を周波数空間に変換し、さらに空間周波数成分が特定の帯域にある成分を抽出し、（数式７）により算出される、その二乗和からなる値（パワー）Ｃに従って決定してもよい。より具体的には、入力映像信号に対してＦＦＴフィルタを施し、さらにその０〜１ｃｐｄ（ｃｙｃｌｅ  ｐｅｒ  ｄｅｇｒｅｅ）の成分の二乗和を求め、その値に従って制限値を決定する。
【００５５】
【数７】
2009141980.tif 000022
なお、ｃｐｄ（ｃｙｃｌｅ  ｐｅｒ  ｄｅｇｒｅｅ）とは、視角であり、例えば、表示画面の水平画素数が「１０２４」であり、視角が３３度であるとき、空間周波数の最高値は、約１５．５ｃｐｄとなる。また、Ｆ（ω）は、入力映像信号ＩｎＹをフーリエ変換した結果である。なお、ここでは、フーリエ変換で説明したが、離散コサイン変換やウェーブレット変換等の他の変換によるものであってよい。
また、（数式７）において、積分範囲を０ｃｐｄ〜１ｃｐｄとすることが好ましいが、（数式７）の積分範囲がこれに限定されることがないことは言うまでもない。
図６（ａ）は、横軸に前記パワーＣをとり、縦軸に制限値を示した（パワーＣ）−（制限値）特性の一例を示すグラフである。図６（ａ）に示すように、パワーＣが大きいと補正が知覚されにくいため、制限値を大きくし、パワーが小さいと補正が知覚されやすいため、制限値を小さくしている。
【００５６】
つまり、制限値決定部２０１は、図６（ａ）に示す特性に基づいて、制限値を決定する。
映像信号表示装置２０００において、このように制限値を決定することで、補正の知覚のされやすさに従って補正中心の移動スピードを調整することができる。
（変更点２）
制限値決定部２０１は、誘目点までの距離に従って制限値を決定してもよい。即ち、１フレーム前の補正中心位置と現フレームの誘目点との間の距離をもとに、制限値を決定してもよい。
図６（ｂ）は、横軸に上記距離をとり、縦軸に制限値を示した（１フレーム前の補正中心位置と現フレームの誘目点との間の距離）−（制限値）特性の一例を示すグラフである。図６（ｂ）の特性から分かるように、上記距離が長いほど制限値を大きくし、短いほど制限値を小さくしている。
【００５７】
映像信号表示装置２０００において、このように制限値を決定することで、補正中心の移動に加速度（マイナスの加速度）（つまり、補正中心が誘目点に近づく程、補正中心の移動速度が遅くなる。）を持たせることが可能になり、補正対象の画面上位置が大きく移動した場合にも、速やかに追従することができる。
（変更点３）
制限値決定部２０１は、誘目点の画面上の位置によって制限値を決定してもよい。即ち、画面略中心と誘目点との距離をもとに、制限値を決定してもよい。
図６（ｃ）は、横軸に上記距離をとり、縦軸に制限値を示した（画面略中心と誘目点との距離）−（制限値）特性の一例を示すグラフである。図６（ｃ）の特性から分かるように、上記距離が長いほど制限値を小さくし、短いほど制限値を大きくしている。これは、一般に人が注目する画面上の位置は画面略中心であることに基づいている。
【００５８】
映像信号表示装置２０００において、このように制限値を決定することで、画面略中心に向けての移動と、画面略中心からの移動とで、移動速度を変えることができ、顔検出処理等の検出率が悪い場合に、画面略中心を優先的に補正中心とすることができる。
（変更点４）
制限値決定部２０１は、誘目度に従って制限値を決定してもよい。ここで「誘目度」とは、検出対象物の目の引度合いである。本実施形態では、誘目点決定部１０４にて顔等の画像領域の検出を行って、誘目点を決定するが、このとき、検出した顔等の画像領域の大きさに従った誘目度を決定する。顔等の検出画像領域が大きいほど誘目度は大きい値となる。制限値決定部２０１は、この誘目度に従って制限値を決定する。誘目度は、０〜１の実数値とすることが好ましい。
【００５９】
なお、誘目度は顔の大きさに従って決定することに限らない。例えば、画面上の位置（中心から遠いほど目を引きにくい）、検出の確からしさ（検出が不確かな物体は目を引きにくい）、などを利用して誘目度を決定してもよい。
例えば、検出した画像領域の輪郭が人間の顔に類似しているが、その色が肌色ではない場合、当該検出した画像領域は、たまたま人間の顔の形状に近い他のオブジェクトである可能性もあるため、誘目度を低く設定する（例えば、誘目度を「０．５」に設定する（誘目度が０〜１の実数値をとるものとする））。
一方、検出した画像領域の輪郭が人間の顔に類似しており、かつ、その色が肌色である場合、当該検出した画像領域は、人間の顔を形成する画像領域である可能性が高いため、誘目度を高い値に設定する（例えば、誘目度を「０．９」に設定する（誘目度が０〜１の実数値をとるものとする））。
【００６０】
図６（ｄ）は、横軸に上記誘目度をとり、縦軸に制限値を示した（誘目度）−（制限値）特性の一例を示すグラフである。図６（ｄ）の特性から分かるように、上記誘目度が大きいほど制限値を大きくし、小さいほど制限値を小さくしている。
映像信号表示装置２０００において、このように制限値を決定することで、目を引きやすい領域にはより速く補正中心位置を移動させることができる。
なお、誘目度は、図５に示すように、誘目点決定部１０４により算出し、算出した誘目度を制限値決定部２０１に出力するようにすることが好ましい。なお、誘目度を、制限値決定部２０１で算出するようにしてもよい。
（変更点５）
制限値決定部２０１は、全体補正強度に従って制限値を決定してもよい。即ち、補正パラメータ生成部１０７により生成される補正傾斜ゲインの最大値（最大信号低下率Ｋ）をもとに、制限値を決定してもよい。
【００６１】
これは、傾斜が大きい（信号の低下量が大きい）と補正中心の移動が知覚されやすく、傾斜が小さい（信号の低下量が小さい）と補正中心の移動が知覚されにくいという知見に基づいている。
図６（ｅ）は、横軸に前記最大信号低下率Ｋをとり、縦軸に制限値を示した（最大信号低下率）−（制限値）特性の一例を示すグラフである。図６（ｅ）の特性から分かるように、上記最大信号低下率が大きいほど制限値を小さくし、小さいほど制限値を大きくしている。
映像信号表示装置２０００において、このように制限値を決定することで、補正中心の移動が知覚されやすい大きな傾斜のときに（信号の低下量が大きいときに）、補正中心の移動を抑制することができる。
【００６２】
なお、上記（変更点１）〜（変更点５）は、それぞれ、単独に適用してもよいし、また、組み合わせて適用してもよい。
［他の実施形態］
上記実施形態では、映像信号表示装置において、フレームでの処理を実行する場合について説明したが、映像信号表示装置において、フィールドでの処理を行うようにしてもよい。
また、上記実施形態で説明した映像信号表示装置において、各ブロックは、ＬＳＩなどの半導体装置により個別に１チップ化されてもよいし、一部または全部を含むように１チップ化されてもよい。
なお、ここでは、ＬＳＩとしたが、集積度の違いにより、ＩＣ、システムＬＳＩ、スーパーＬＳＩ、ウルトラＬＳＩと呼称されることもある。
【００６３】
また、集積回路化の手法はＬＳＩに限るものではなく、専用回路または汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
さらに、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてあり得る。
また、上記実施形態の各処理をハードウェアにより実現してもよいし、ソフトウェアにより実現してもよい。さらに、ソフトウェアおよびハードウェアの混在処理により実現してもよい。なお、上記実施形態に係る映像信号表示装置をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
【００６４】
なお、本発明の具体的な構成は、前述の実施形態に限られるものではなく、発明の要旨を逸脱しない範囲で種々の変更および修正が可能である。
【産業上の利用可能性】
【００６５】
本発明に係る映像信号表示装置、映像信号表示方法、プログラムおよび集積回路は、人の注視しやすい領域を中心として十分な明るさ感を得ることができ、かつ、消費電力を抑えることができるので、映像機器関連産業分野において有用であり、当該分野において実施することができる。
【符号の説明】
【００６６】
１０００、２０００  映像信号表示装置
１００、２００  映像信号処理部
１０１  色変換部
１０２  第１記憶部
１０３  第２記憶部
１０４  誘目点決定部
１０５  補正中心位置格納部
１０６  補正中心位置決定部
１０７  補正パラメータ生成部
１０８  補正部
１０９  色逆変換部
１１０  映像信号表示部
２０１  制限値決定部
【手続補正３】
【補正対象書類名】図面
【補正対象項目名】全図
【補正方法】変更
【補正の内容】
【図１】
2009141980.tif 000023
【図２】
2009141980.tif 000024
【図３】
2009141980.tif 000025
【図４】
2009141980.tif 000026
【図５】
2009141980.tif 000027
【図６】
2009141980.tif 000028
【国際調査報告】
2009141980.tif 000029
2009141980.tif 000030
2009141980.tif 000031
2009141980.tif 000032